(57)【要約】【課題】印刷結果における差異を検知し、異なるＲＩＰエンジンにおいて同一の印刷出力が実行可能か否か判断する。【解決手段】  処理実行制御装置と画像形成出力制御装置とを含む画像処理システムであって、第二のＲＩＰエンジンが第一のＲＩＰエンジンに対応していない場合に、第一のラスターデータに基づいて基準となるラスターデータを選出し、基準となるラスターデータとなった前記出力対象の画像情報から、第二のラスターデータの一部であって基準となるラスターデータと比較される比較対象のラスターデータを生成させ、基準となるラスターデータと比較対象のラスターデータとの画像の比較を実行し、比較の結果に応じて、前記第ＲＩＰエンジンが搭載された画像形成装置に画像形成出力を実行させるか否かを判断することを特徴とする。【選択図】図１８
2017129928.tif 000002
【特許請求の範囲】
【請求項１】
定められた複数の処理を順番に実行する画像処理システムであって、
前記複数の処理の実行を制御する処理実行制御装置と、画像形成出力の実行を制御する画像形成出力制御装置とを含み、
前記複数の処理の実行を制御する処理実行制御部と、
前記複数の処理の１つとして、第一の画像形成装置が画像形成出力に際して参照する情報である第一の描画情報を、画像形成出力対象の画像の情報である出力対象画像情報に基づいて第一描画情報生成部に生成させる第一描画情報生成制御部と、
前記処理実行制御装置から取得した出力対象画像情報に基づいて第二の描画情報を第二描画情報生成部に生成させる第二描画情報生成制御部と、
前記第二描画情報生成部において実行可能な処理に基づいて基準となる基準描画情報を選出する描画情報選出部と、
画像の比較を行う画像比較部と、
前記第二描画情報生成制御部によって生成された前記第二の描画情報に基づいて第二の画像形成装置に画像形成出力を実行させる実行制御部と、
を含み、
前記描画情報選出部は、
前記第二描画情報生成部が前記第一描画情報生成部に対応していない場合に、前記第一の描画情報に基づいて前記基準描画情報を選出し、
前記第二描画情報生成制御部は、
前記基準描画情報となった前記出力対象画像情報に基づいて、前記第二の描画情報の一部であって前記基準描画情報と比較される比較対象描画情報を生成させ、
前記画像比較部は、
前記基準描画情報と前記比較対象描画情報との画像の比較を実行し、
前記実行制御部は、
前記比較の結果に応じて、前記第二の画像形成装置に前記第二の描画情報に基づいた画像形成出力を実行させるか否かを判断することを特徴とする画像処理システム。
【請求項２】
前記描画情報選出部は、
前記第二描画情報生成部において実行可能な処理が行われる回数に基づいて前記基準描画情報を選出することを特徴とする請求項１に記載の画像処理システム。
【請求項３】
前記描画情報選出部は、
複数の前記第二描画情報生成部に共通して実行可能な処理を除外し、前記第二描画情報生成部において実行可能な処理が行われる回数に基づいて前記基準描画情報を選出することを特徴とする請求項１または請求項２に記載の画像処理システム。
【請求項４】
前記描画情報選出部は、
複数の前記第二描画情報生成部の夫々において特有に実行可能な処理に基づいて前記基準描画情報とは異なる基準描画情報を選出することを特徴とする請求項１ないし請求項３いずれか一項に記載の画像処理システム。
【請求項５】
複数の処理の実行を制御する処理実行制御装置と画像形成出力の実行を制御する画像形成出力制御装置とを含み定められた複数の処理を順番に実行する画像処理システムにおける画像処理方法であって、
前記画像処理システムは、
前記複数の処理の実行を制御する処理実行制御部と、
前記複数の処理の１つとして、第一の画像形成装置が画像形成出力に際して参照する情報である第一の描画情報を、画像形成出力対象の画像の情報である出力対象画像情報に基づいて第一描画情報生成部に生成させる第一描画情報生成制御部と、
前記処理実行制御装置から取得した出力対象画像情報に基づいて第二の描画情報を第二描画情報生成部に生成させる第二描画情報生成制御部と、
前記第二描画情報生成部において実行可能な処理に基づいて基準となる基準描画情報を選出する描画情報選出部と、
画像の比較を行う画像比較部と、
前記第二描画情報生成制御部によって生成された前記第二の描画情報に基づいて第二の画像形成装置に画像形成出力を実行させる実行制御部と、
を有し、
前記第二描画情報生成部が前記第一描画情報生成部に対応していない場合に、前記第一の描画情報に基づいて前記基準描画情報を選出し、
前記基準描画情報となった前記出力対象画像情報に基づいて、前記第二の描画情報の一部であって前記基準描画情報と比較される比較対象描画情報を生成させ、
前記基準描画情報と前記比較対象描画情報との画像の比較を実行し、
前記比較の結果に応じて、前記第二の画像形成装置に前記第二の描画情報に基づいた画像形成出力を実行させるか否かを判断することを特徴とする画像処理方法。
【請求項６】
複数の処理の実行を制御する処理実行制御装置と画像形成出力の実行を制御する画像形成出力制御装置とを含み定められた複数の処理を順番に実行する画像処理システムにおける画像処理プログラムであって、
前記画像処理システムは、
前記複数の処理の実行を制御する処理実行制御部と、
前記複数の処理の１つとして、第一の画像形成装置が画像形成出力に際して参照する情報である第一の描画情報を、画像形成出力対象の画像の情報である出力対象画像情報に基づいて第一描画情報生成部に生成させる第一描画情報生成制御部と、
前記処理実行制御装置から取得した出力対象画像情報に基づいて第二の描画情報を第二描画情報生成部に生成させる第二描画情報生成制御部と、
前記第二描画情報生成部において実行可能な処理に基づいて基準となる基準描画情報を選出する描画情報選出部と、
画像の比較を行う画像比較部と、
前記第二描画情報生成制御部によって生成された前記第二の描画情報に基づいて第二の画像形成装置に画像形成出力を実行させる実行制御部と、
を有し、
前記第二描画情報生成部が前記第一描画情報生成部に対応していない場合に、前記第一の描画情報に基づいて前記基準描画情報を選出するステップと、
前記基準描画情報となった前記出力対象画像情報に基づいて、前記第二の描画情報の一部であって前記基準描画情報と比較される比較対象描画情報を生成させるステップと、
前記基準描画情報と前記比較対象描画情報との画像の比較を実行するステップと、
前記比較の結果に応じて、前記第二の画像形成装置に前記第二の描画情報に基づいた画像形成出力を実行させるか否かを判断するステップと、をコンピュータに実行させることを特徴とする画像処理プログラム。
【発明の詳細な説明】
【技術分野】
【０００１】
本発明は、画像処理システム、画像処理方法、画像処理プログラムに関する。
【背景技術】
【０００２】
ＪＤＦ（Ｊｏｂ  Ｄｅｆｉｎｉｔｉｏｎ  Ｆｏｒｍａｔ）と呼ばれる情報形式により、印刷物の生成に関するあらゆる処理を定義して制御する方法が用いられている。この方法によれば、オフセットプリンタやデジタルプリンタ等の異なる種類のプリンタを一括して制御することが可能となる。そのようなシステムはＨＷＦ（Ｈｙｂｒｉｄ  Ｗｏｒｋ  Ｆｌｏｗ）システムと呼ばれ、そのようなシステムを制御するサーバはＨＷＦサーバと呼ばれる。
【０００３】
このようなＨＷＦシステムにおいては、同一の印刷データに基づいてオフセットプリンタ及びデジタルプリンタの夫々に出力を実行させた場合に、フォント、色味、レイアウト等に差異がなく同一の結果が得られることが求められる。しかしながら、印刷出力において最終的に参照されるデータであるラスターデータを印刷データに基づいて生成するＲＩＰ（Ｒａｓｔｅｒ  Ｉｍａｇｅ  Ｐｒｏｃｅｓｓｏｒ）エンジンが、オフセットプリンタ及びデジタルプリンタにおいて、夫々設けられる。
【０００４】
オフセットプリンタによる出力の場合にはＨＷＦサーバ上にてＲＩＰエンジンによるラスターデータの生成処理（以降、「ＲＩＰ処理」とする）が行われた上で、オフセットプリンタ用の版を作成するＣＴＰ（Ｃｏｍｐｕｔｅｒ  Ｔｏ  Ｐｌａｔｅ）にデータが転送される。他方、デジタルプリンタの場合、ＤＦＥ（Ｄｉｇｉｔａｌ  Ｆｒｏｎｔ  Ｅｎｄ）と呼ばれる構成が印刷データを受信してＲＩＰ処理を行い、プリンタエンジンに印刷出力を実行させる方式が一般的である。
【０００５】
ＤＦＥに搭載されるＲＩＰエンジンは、ＲＩＰエンジンの開発ベンダー毎、あるいはＲＩＰエンジンのバージョン毎に機能が異なることがある。例えば、レイヤー、グラデーション、アノテーション、オーバープリント、トラッピング、フォントなど、利用する機能の有無に違いが存在する。このような利用する機能の有無の違いを解決するために、複数のＲＩＰエンジンをＤＦＥに搭載し、印刷ジョブに最適なＲＩＰエンジンに切り替える。このようにして、目的とする機能を利用した印刷を行うことが可能となる。
【０００６】
このような利用する機能の有無の違いを判断するために、印刷ジョブの情報に基づいて印刷出力が実行可能か否かを判断する技術がある（例えば、特許文献１参照）。特許文献１には、印刷ジョブに基づいて、イメージデータ出力装置が出力した画像及び出力携帯情報に基づいて、画像記録装置が印刷ジョブを実行可能か否か判断する技術が開示されている。
【０００７】
デジタルプリンタにおいては、同じ印刷データを追加印刷する「重版」という処理を行うことがある。重版を行う際、ＤＦＥにおいては、初回印刷時と重版印刷時とで使用されるＲＩＰエンジンが切り替わっていることがある。しかし、特許文献１の技術においては、初回印刷時と重版印刷時とにおいて、ＲＩＰエンジンが切り替わったことにより生じるＲＩＰ結果の差異の有無までは、判断することができない。
【発明の概要】
【発明が解決しようとする課題】
【０００８】
このような場合、ＤＦＥにおいては、印刷結果を比較して初回印刷時と重版印刷時とのＲＩＰ結果の差異の有無を判断しなければならない。また、印刷結果の比較を行わない場合に、印刷結果における差異が発生しないようにするためには、初回印刷時と同じＲＩＰエンジンに切り替えて追加印刷を実行する必要がある。しかし、ＲＩＰエンジンを切り替える際には、ＨＷＦシステムを再起動しなければならず、切り替えに時間が掛かってしまう。
【０００９】
本発明は、このような課題を解決するためになされたものであり、印刷結果における差異を検知し、異なるＲＩＰエンジンにおいて同一の印刷出力が実行可能か否か判断することを目的とする。
【課題を解決するための手段】
【００１０】
上記課題を解決するために、本発明の一態様は、定められた複数の処理を順番に実行する画像処理システムであって、前記複数の処理の実行を制御する処理実行制御装置と、画像形成出力の実行を制御する画像形成出力制御装置とを含み、前記複数の処理の実行を制御する処理実行制御部と、前記複数の処理の１つとして、第一の画像形成装置が画像形成出力に際して参照する情報である第一の描画情報を、画像形成出力対象の画像の情報である出力対象画像情報に基づいて第一描画情報生成部に生成させる第一描画情報生成制御部と、前記処理実行制御装置から取得した出力対象画像情報に基づいて第二の描画情報を第二描画情報生成部に生成させる第二描画情報生成制御部と、前記第二描画情報生成部において実行可能な処理に基づいて基準となる基準描画情報を選出する描画情報選出部と、画像の比較を行う画像比較部と、前記第二描画情報生成制御部によって生成された前記第二の描画情報に基づいて第二の画像形成装置に画像形成出力を実行させる実行制御部と、を含み、前記描画情報選出部は、前記第二描画情報生成部が前記第一描画情報生成部に対応していない場合に、前記第一の描画情報に基づいて前記基準描画情報を選出し、前記第二描画情報生成制御部は、前記基準描画情報となった前記出力対象画像情報に基づいて、前記第二の描画情報の一部であって前記基準描画情報と比較される比較対象描画情報を生成させ、前記画像比較部は、前記基準描画情報と前記比較対象描画情報との画像の比較を実行し、前記実行制御部は、前記比較の結果に応じて、前記第二の画像形成装置に前記第二の描画情報に基づいた画像形成出力を実行させるか否かを判断することを特徴とする。
【発明の効果】
【００１１】
本発明によれば、印刷結果の差異を検知し、異なるＲＩＰエンジンにおいて印刷出力が実行可能か否か判断することができる。
【図面の簡単な説明】
【００１２】
【図１】本発明の実施形態に係るシステムの運用形態を示す図である。
【図２】本発明の実施形態に係る情報処理装置のハードウェア構成を示すブロック図である。
【図３】本発明の実施形態に係るＪＤＦ情報を示す図である。
【図４】本発明の実施形態に係るＨＷＦサーバの機能構成を示すブロック図である。
【図５】本発明の実施形態に係るワークフロー情報の例を示す図である。
【図６】本発明の実施形態に係るＤＦＥの機能構成を示すブロック図である。
【図７】本発明の実施形態に係る変換テーブルの例を示す図である。
【図８】本発明の実施形態に係るＲＩＰパラメータの例を示す図である。
【図９】本発明の実施形態に係るＲＩＰエンジンの機能構成を示すブロック図である。
【図１０】本発明の実施形態に係るＲＩＰエンジンの機能構成を示すブロック図である。
【図１１】本発明の実施形態に係るシステムの全体動作を示すシーケンス図である。
【図１２】本発明の実施形態に係る分割要求の情報を示す図である。
【図１３】本発明の実施形態に係るＤＦＥ内処理を示すフローチャートである。
【図１４】本発明の実施形態に係るＲＩＰ処理を示すフローチャートである。
【図１５】本発明の実施形態に係るＲＩＰエンジンを切り替える態様について例示した図である。
【図１６】本発明の実施形態に係るＤＦＥに搭載されるＲＩＰエンジンにおいて実行可能な機能を示した図である。
【図１７】本発明の実施形態に係るジョブ制御部の内部構成を示す図である。
【図１８】本発明の実施形態に係る初回印刷及び重版印刷において同一の印刷画像を出力可能か否か判断する処理の流れを示すフローチャートである。
【図１９】本発明の実施形態に係る初回印刷時及び追加印刷時におけるラスターデータの差異を排他的論理和によって検知する態様を示す図である。
【図２０】本発明の実施形態に係る初回印刷時及び追加印刷時のラスターデータの差異を、画素の個数に基づいて比較する態様を示す図である。
【図２１】本発明の実施形態に係る初回印刷時のラスターデータに基づいて抽出されるＲＩＰ内部処理を行うオブジェクトの数を例示した図である。
【図２２】本発明の実施形態に係る基準ラスターデータを選出する処理の流れを示すフローチャートである。
【図２３】本発明の実施形態に係る印刷対象の画像データに対して実行されるＲＩＰ内部処理の項目を例示した図である。
【図２４】本発明の実施形態に係る一種類のＲＩＰ内部処理が実行される画像データを個別機能比較用ラスターデータとして選出する処理の流れを示すフローチャートである。
【図２５】本発明の実施形態に係る他の印刷ジョブにおいて一致機能情報に基づいて基準ラスターデータを選出する処理の流れを示すフローチャートである。
【図２６】本発明の他の実施形態に係るＤＦＥのジョブ制御部の内部構成を示す図である。
【図２７】本発明の他の実施形態に係るＨＷＦサーバのジョブ制御部の内部構成を示す図である。
【図２８】本発明の他の実施形態に係るＨＷＦサーバに比較用ラスターデータを生成させる処理の流れを示すシーケンス図である。
【発明を実施するための形態】
【００１３】
以下、図面を参照して、本発明の実施形態について説明する。本実施形態においては、オフセットプリンタ及びデジタルプリンタが混在するシステムにおいて、両方のプリンタを同一のサーバを介して制御可能な画像処理システムについて説明する。このようなシステムは、ＨＷＦ（Ｈｙｂｒｉｄ  Ｗｏｒｋ  Ｆｌｏｗ）システムと呼ばれる。そのようなシステムにおいてデジタルプリンタを動作させる場合に、デジタルプリンタを制御するＤＦＥ（Ｄｉｇｉｔａｌ  Ｆｒｏｎｔ  Ｅｎｄ）とサーバとに共通化されたＲＩＰ（Ｒａｓｔｅｒ  Ｉｍａｇｅ  Ｐｒｏｃｅｓｓｏｒ）エンジンを搭載することが本実施形態に係る特徴の１つである。
【００１４】
図１は、本実施形態に係るＨＷＦシステムの運用形態を示す図である。図１に示すように、本実施形態に係るシステムは、デジタルプリンタ１、オフセットプリンタ２、後処理装置３、ＨＷＦサーバ４ａ、４ｂ（以降、総じて「ＨＷＦサーバ４」とする）、クライアント端末５ａ、５ｂ（以降、総じて「クライアント端末５」とする）がネットワークを介して接続されて構成されている。
【００１５】
デジタルプリンタ１は、電子写真方式やインクジェット方式等、版を用いずに画像形成出力を行うプリンタであり、ＤＦＥ１００及びデジタルエンジン１５０を含む。ＤＦＥ１００は、デジタルエンジン１５０に印刷出力を実行させるための制御部である画像形成出力制御装置として機能する。また、デジタルエンジン１５０が画像形成装置として機能する。そのため、ＤＦＥ１００は、デジタルエンジン１５０が印刷出力を実行する際に参照する画像データであるラスターデータを生成するためのＲＩＰ（Ｒａｓｔｅｒ  Ｉｍａｇｅ  Ｐｒｏｃｅｓｓｏｒ）エンジンを含む。ラスターデータが描画情報である。
【００１６】
オフセットプリンタ２は、版を用いて画像形成出力を行うプリンタであり、ＣＴＰ（Ｃｏｍｐｕｔｅｒ  Ｔｏ  Ｐｌａｔｅ）２００及びオフセットエンジン２５０を含む。ＣＴＰ２００は、ラスターデータに基づいて版を生成する装置である。ＣＴＰ２００によって版が生成されることにより、オフセットエンジン２５０によるオフセット印刷が可能となる。
【００１７】
後処理装置３は、デジタルプリンタ１、オフセットプリンタ２によって印刷出力された用紙に対してパンチ、ステープル、製本等の後処理を行う装置である。ＨＷＦサーバ４は、印刷出力する対象の画像データを含むジョブデータの入稿から、印刷出力、後処理まですべてを管理するＨＷＦソフトウェアがインストールされたサーバである。ＨＷＦサーバ４は、ＪＤＦ（Ｊｏｂ  Ｄｅｆｉｎｉｔｉｏｎ  Ｆｏｒｍａｔ）と呼ばれる情報形式で生成された情報（以降、「ＪＤＦ情報」とする）により、上述した様々な処理を管理する。即ち、ＨＷＦサーバ４が処理実行制御装置として機能する。
【００１８】
ＨＷＦサーバ４は、オフセットプリンタ２を用いてオフセット印刷により印刷出力を行う場合、内部に搭載されたＲＩＰエンジンによりラスターデータを生成し、そのラスターデータをＣＴＰ２００に送信する。そのため、ＨＷＦサーバ４にはＲＩＰエンジンが搭載されている。
【００１９】
他方、デジタルプリンタ１により印刷出力を行う場合、ＤＦＥ１００にデータを送信する。ＤＦＥ１００には上述した通りＲＩＰエンジンが搭載されているため、ＨＷＦサーバ４はＲＩＰ処理前の印刷データをＤＦＥ１００に送信することにより、デジタルプリンタ１に印刷出力を実行させることが可能である。
【００２０】
ここで、同一の印刷データに基づく印刷出力がデジタルプリンタ１、オフセットプリンタ２の夫々において実行される場合がある。そのような場合において、両者の印刷出力の結果が異なると、出力物を受け取るユーザに違和感を与えることとなる。そのため、デジタルプリンタ１、オフセットプリンタ２の夫々における印刷出力の結果は同一であることが好ましい。
【００２１】
異なるデバイスによる印刷出力の差異は、主にＲＩＰ処理によって生じる。そのため、デジタルプリンタ１とオフセットプリンタ２とで処理が共通化されたＲＩＰエンジンを用いることにより、両者の出力結果の差異を最低限とすることが可能である。
【００２２】
即ち、本実施形態においてＨＷＦサーバ４に搭載されるＲＩＰエンジンは、デジタルプリンタ１及びオフセットプリンタ２の両方に対応し、共通化可能な処理が共通化されたＲＩＰエンジンである。また、ＤＦＥ１００には、ＨＷＦサーバ４に搭載されたＲＩＰエンジンと共通のＲＩＰエンジンが搭載される。このような構成が本実施形態に係る要旨の１つである。
【００２３】
このような構成により、ＨＷＦサーバ４及びＤＦＥ１００には共通のＲＩＰエンジンが搭載されることとなる。そのため、デジタルプリンタ１により印刷出力を実行する場合、ＨＷＦサーバ４によるＲＩＰ処理とＤＦＥ１００によるＲＩＰ処理とを組み合わせることが可能となる。
【００２４】
クライアント端末５は、システムを使用するオペレータがＨＷＦサーバ４を操作するための情報処理端末であり、一般的なＰＣ（Ｐｅｒｓｏｎａｌ  Ｃｏｍｐｕｔｅｒ）等によって実現される。オペレータは、クライアント端末５を操作してＨＷＦサーバ４を操作するためのＧＵＩ（Ｇｒａｐｈｉｃａｌ  Ｕｓｅｒ  Ｉｎｔｅｒｆａｃｅ）を表示し、データの入力や上述したＪＤＦ情報の設定などを行う。ＪＤＦ情報が処理設定情報である。
【００２５】
次に、本実施形態に係るＤＦＥ１００、ＨＷＦサーバ４及びクライアント端末５等の情報処理装置のハードウェア構成について図２を参照して説明する。図２に示すように、本実施形態に係る情報処理装置は、一般的なサーバやＰＣ（Ｐｅｒｓｏｎａｌ  Ｃｏｍｐｕｔｅｒ）等と同様の構成を含む。即ち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００２６】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００２７】
Ｉ／Ｆ５０は、バス８０と各種のハードウェアやネットワーク等を接続し制御する。ＬＣＤ６０は、ユーザが情報処理装置の状態を確認するための視覚的ユーザインタフェースである。操作部７０は、キーボードやマウス等、ユーザが情報処理装置に情報を入力するためのユーザインタフェースである。尚、ＨＷＦサーバ４はサーバとして運用されるため、ＬＣＤ６０や操作部７０等のユーザインタフェースは省略可能である。
【００２８】
このようなハードウェア構成において、ＲＯＭ３０に格納されたプログラムや、ＨＤＤ４０若しくは図示しない光学ディスク等の記憶媒体からＲＡＭ２０にロードされたプログラムに従ってＣＰＵ１０が演算を行うことにより、ソフトウェア制御部が構成される。このようにして構成されたソフトウェア制御部と、ハードウェアとの組み合わせによって、本実施形態に係るＤＦＥ１００、ＨＷＦサーバ４及びクライアント端末５の機能を実現する機能ブロックが構成される。
【００２９】
次に、上述したＪＤＦ情報について説明する。図３は、ＪＤＦ情報の例を示す図である。図３に示すように、ＪＤＦ情報は、ジョブの実行に関する“ジョブ情報”、ラスターデータに関する“エディット情報”、後処理に関する“フィニッシング情報”を含む。また、“ＲＩＰステータス”、“ＲＩＰデバイス指定”及び“デバイス指定”の情報を含む。
【００３０】
“ジョブ情報”は、図３に示すように、“部数”、“ページ数”、“ＲＩＰ制御モード”といった情報を含む。“部数”は、出力対象の印刷物の部数を指定する情報である。“ページ数”は、印刷物のページ数を指定する情報である。“ＲＩＰ制御モード”は、ＲＩＰ処理の制御モードを示し、「ページモード」、「シートモード」等が指定される。
【００３１】
“エディット情報”は、“向き情報”、“印刷面情報”、“回転”、“拡大／縮小”、“イメージ位置”、“レイアウト情報”、“マージン情報”、“クロップ・マーク情報”を含む。“向き情報”は、「縦」、「横」等の印刷の向きを指定する情報である。“印刷面情報”は、「両面」、「片面」等の印刷面を指定する情報である。
【００３２】
“回転”は、出力対象の画像の回転角度を指定する情報である。“拡大／縮小”は、出力対象の画像の変倍率を指定する情報である。“イメージ位置”の“オフセット”は、出力対象の画像のオフセットを指定する情報である。“位置調整情報”は、出力対象の画像の位置調整の値を指定する情報である。
【００３３】
“レイアウト情報”の“カスタム・インポジション配置”は、カスタム面の配置を指定する情報である。“ページ数”は、用紙１枚のページ数を指定する情報であり、例えば１枚の用紙に２ページを集約する場合には「２ｉｎ１」等と指定される。“ページ順序情報”は、印刷されるページの順序に関する情報を指定する情報である。“クリープ位置調整”は、クリープ位置の調整に関する値を指定する情報である。
【００３４】
“マージン情報”は、フィット・ボックスやガターなどのマージンに関する値を指定する情報である。“クロップ・マーク情報”の“センター・クロップ・マーク情報”は、センター・クロップ・マークに関する値を指定する情報である。“コーナー・クロップ・マーク情報”は、コーナー・クロップ・マークに関する値を指定する情報である。
【００３５】
“フィニッシング情報”は、“Ｃｏｌｌａｔｅ情報”、“ステープル／バインド情報”、“パンチ情報”、“折り情報”、“トリム”、“出力トレイ情報”、“入力トレイ情報”、“カバー・シート情報”を含む。“Ｃｏｌｌａｔｅ情報”は、文書が複数部数印刷される場合にページ単位で印刷するか文書単位で印刷するかを指定する情報である。
【００３６】
“ステープル／バインド情報”は、ステープル／バインドに関する処理を指定する情報である。“パンチ情報”は、パンチに関する処理を指定する情報である。“折り情報”は、折りに関する処理を指定する情報である。“トリム”は、トリムに関する処理を指定する情報である。
【００３７】
“出力トレイ情報”は、出力トレイを指定する情報である。“入力トレイ”は、入力トレイを指定する情報である。“カバー・シート情報”は、カバー・シートに関する処理を指定する情報である。
【００３８】
“ＲＩＰステータス”は、ＲＩＰ処理に含まれる各処理であるＲＩＰ内部処理の夫々が実行済みであるか否かを示す実行状態情報である。図３においては、ＲＩＰ内部処理の項目として“プリフライト”、“ノーマライズ”、“フォント”、“レイアウト”、“マーク”、“ＣＭＭ”、“Ｔｒａｐｐｉｎｇ”、“Ｃａｌｉｂｒａｔｉｏｎ”、“Ｓｃｒｅｅｎｉｎｇ”といった処理項目が記述されている。そして、夫々の項目についての処理状態のステータスが記述される。図３においては、未処理であることを示す「ＮｏｔＹｅｔ」が設定されており、夫々の処理が実行されると「Ｄｏｎｅ」に更新される。
【００３９】
“ＲＩＰデバイス指定”は、夫々のＲＩＰ内部処理について、ＨＷＦサーバ４側において実行するか、ＤＦＥ１００側において実行するかを指定する情報である。“ＲＩＰステータス”と同様のＲＩＰ内部処理の夫々の項目について、「ＨＷＦサーバ」と「ＤＦＥ」とのいずれかが設定される。また、「ＤＦＥ」が設定される場合、「ＤＦＥ（エンジンＡ）」のように、ＤＦＥ１００に搭載されている複数のＲＩＰエンジンのいずれかを指定する情報が含まれる。
【００４０】
“デバイス指定”は、印刷ジョブを実行するデバイスを指定する情報であり、図３の例においては、「デジタルプリンタ」が指定されている。尚、ＪＤＦ情報は図３に示す情報の他にも様々な情報を含む。それらの情報については以降の説明において詳述する。
【００４１】
図３に示すＪＤＦ情報は、オペレータがクライアント端末５を介してＨＷＦサーバ４のＧＵＩを表示させ、ＧＵＩにおいて各種の項目を設定することにより生成される。そして、ＨＷＦサーバ４やＤＦＥ１００に搭載されるＲＩＰエンジンは、このようなＪＤＦ情報に基づいてＲＩＰ処理を行う。また、後処理装置３は、このようなＪＤＦ情報に基づいて後処理を実行する。尚、外部のソフトウェアやシステムからＨＷＦサーバ４に対してジョブが入稿される場合、ＪＤＦ情報が付与された状態で入稿される場合もある。
【００４２】
次に、本実施形態に係るＨＷＦサーバ４の機能構成について図４を参照して説明する。図４に示すように、ＨＷＦサーバ４は、ＨＷＦコントローラ４００及びネットワークＩ／Ｆ４０１を含む。ネットワークＩ／Ｆ４０１は、ＨＷＦサーバ４がネットワークを介して他の機器と情報をやり取りするためのインタフェースである。
【００４３】
ＨＷＦコントローラ４００は、印刷対象のデータの取得、印刷ジョブの作成、ワークフローの管理、デジタルプリンタ１及びオフセットプリンタ２へのジョブの振り分け等を管理する。印刷対象のジョブデータがＨＷＦサーバ４に入力され、ＨＷＦコントローラ４００によって取得される処理が、本システムにおける入稿処理である。ＨＷＦコントローラ４００は、専用のソフトウェアが情報処理装置にインストールされることによって構成される。このソフトウェアがＨＷＦソフトウェアである。
【００４４】
ＨＷＦコントローラ４００において、システム制御部４１０は、ＨＷＦコントローラ４００全体の制御を行う。そのため、システム制御部４１０は、上述したＨＷＦコントローラ４００の各機能の実現に際して、ＨＷＦコントローラ４００各部に命令を与えて処理を実行させる。データ受信部４１１は、他のシステムからの印刷物のジョブデータの受信、もしくはオペレータの操作によって入稿されるジョブデータの受信を行う。
【００４５】
ＵＩ（Ｕｓｅｒ  Ｉｎｔｅｒｆａｃｅ）制御部４１２は、クライアント端末５を介したオペレータによる操作を制御する。クライアント端末５にはＨＷＦサーバ４を操作するためのＧＵＩが表示され、ＵＩ制御部４１２は、クライアント端末５において表示されたＧＵＩに対する操作の情報を、ネットワークを介して取得する。
【００４６】
ＵＩ制御部４１２は、このようにしてネットワークを介して取得した操作の情報をシステム制御部４１０に通知する。クライアント端末５におけるＧＵＩの表示は、クライアント端末５に予めインストールされたソフトウェアや、ＵＩ制御部４１２からネットワークを介してクライアント端末５に提供される情報によって実現される。
【００４７】
オペレータは、クライアント端末５に表示されたＧＵＩを操作することにより入稿対象のジョブデータを選択する。これにより、クライアント端末５がＨＷＦサーバ４に対してジョブデータを送信し、データ受信部４１１がジョブデータを取得する。システム制御部４１０は、データ受信部４１１が取得したジョブデータをジョブデータ格納部４１４に登録する。
【００４８】
クライアント端末５からＨＷＦサーバ４へのジョブデータの送信に際しては、クライアント端末５において選択された文書データや画像データに基づき、クライアント端末５においてジョブデータが生成された上でＨＷＦサーバ４に送信される。ジョブデータは、例えばＰＤＦ（Ｐｏｒｔａｂｌｅ  Ｄｏｃｕｍｅｎｔ  Ｆｏｒｍａｔ）やＰｏｓｔＳｃｒｉｐｔ等のＰＤＬ（Ｐａｇｅ  Ｄｅｓｃｒｉｐｔｉｏｎ  Ｌａｎｇｕａｇｅ）形式のデータである。
【００４９】
この他、クライアント端末５からＨＷＦサーバ４に対してアプリケーション専用のデータ形式や一般的な画像データの形式のまま印刷対象のデータが送信されても良い。その場合、システム制御部４１０は、取得したデータに基づいてジョブ制御部４１３にジョブデータを生成させる。ジョブ制御部４１３は、ＲＩＰエンジン４２０の機能により印刷対象のデータに基づいてジョブデータを生成させる。
【００５０】
尚、ジョブデータ格納部４１４に登録された印刷対象のデータは上述したようにＰＤＬ情報であるが、このＰＤＬ情報は、印刷対象のデータに基づいて生成された一次的なデータの他、途中まで処理が実行された中間データの場合もあり得る。これらの情報が、出力対象画像情報として用いられる。中間データがジョブデータ格納部４１４に格納される場合としては、ＨＷＦサーバ４において既に処理が開始された処理途中の状態の他、中間データの状態でＨＷＦサーバ４にジョブデータが登録される場合等があり得る。以降、“ＰＤＬ情報”とする場合には、ＲＩＰ処理が行われていない一次的なデータを示し、“中間データ”とする場合には途中までＲＩＰ処理が実行された処理途中の状態のデータを示す。
【００５１】
また、上述したように、図３において説明したＪＤＦの情報はクライアント端末５に表示されるＧＵＩに対するオペレータの操作により設定されて生成される。若しくは、外部のソフトウェアやシステムからＨＷＦサーバ４に対してジョブが入稿される場合には、予め付与されている。そのようにして取得されたＪＤＦ情報はジョブデータとしてＰＤＬ情報と共にデータ受信部４１１によって受信される。システム制御部４１０は、そのようにして取得されたＪＤＦ情報とＰＤＬ情報とを関連付けてジョブデータ格納部４１４に登録する。
【００５２】
尚、本実施形態においてはジョブの内容を示す属性情報としてＪＤＦ情報を用いる場合を例として説明した。しかしながらこれは一例であり、他の形式、例えばＰＰＦ（Ｐｒｉｎｔ  Ｐｒｏｄｕｃｔｉｏｎ  Ｆｏｒｍａｔ）情報を用いても良い。
【００５３】
また、システム制御部４１０は、クライアント端末５に表示されたＧＵＩに対するオペレータの操作に基づき、受信したジョブデータを、ページ単位等の印刷部位毎に分割することが出来る。そのようにして分割した夫々のジョブデータは、分割された個別のジョブデータとしてジョブデータ格納部４１４に登録される。
【００５４】
また、分割が指定された夫々のジョブについて、クライアント端末５に表示されたＧＵＩに対するオペレータの操作により出力先のデバイスが選択されると、その選択結果がジョブデータと関連付けてジョブデータ格納部４１４に保存される。出力先の選択態様としては、例えば表紙部分はデジタルプリンタ１、本文はオフセットプリンタ２といった選択態様があり得る。
【００５５】
デバイス情報管理部４１６は、デジタルプリンタ１、オフセットプリンタ２、後処理装置３等、システムに含まれる他のデバイスの情報を取得してデバイス情報格納部４１７に記憶させることにより管理する。他のデバイスの情報としては、デバイスがネットワークに接続された際に割り当てられるネットワークのアドレスや、デバイスの機能の情報である。デバイスの機能の情報とは、例えば印刷速度、使用可能な後処理機能、動作状態等である。
【００５６】
デバイス情報通信部４１５は、ネットワークＩ／Ｆ４０１を介して、システムに含まれる他のデバイスの情報を定期的に取得する。これにより、デバイス情報管理部４１６は、デバイス情報格納部４１７に格納されている他のデバイスの情報を定期的に更新するため、他のデバイスの情報が動的に変化したとしてもデバイス情報格納部４１７に格納された情報が正確に保たれる。
【００５７】
ワークフロー制御部４１８は、ジョブデータ格納部４１４に登録されたジョブデータをシステム上で処理する際の各処理の実行順を決定し、その情報をワークフロー情報格納部４１９に記憶させる。ワークフローに定められた各処理は予めその実行順序が決めらており、順序性を保つため、前の処理が完了すると次の処理に進むように制御される。
【００５８】
即ち、ワークフロー情報格納部４１９に格納されているのは、ＨＷＦシステムにおいて実行可能な夫々の処理が指定された順番通りに組み合わせられたワークフロー情報である。図５は、ワークフロー情報の例を示す図である。これに対して、夫々の処理が実行される際のパラメータは上述した通りＪＤＦ情報において指定される。ワークフロー情報格納部４１９には、クライアント端末５に表示されたＧＵＩに対するオペレータの操作に基づいて設定されたワークフロー情報が予め登録されている。
【００５９】
ＨＷＦサーバ４に登録されたジョブデータに対する実行指示は、クライアント端末５に表示されたＧＵＩに対するオペレータの操作に基づきＵＩ制御部４１２を介してシステム制御部４１０に通知される。これにより、システム制御部４１０は、上述した出力先デバイスの選択を行う。
【００６０】
上述したように、クライアント端末５に表示されたＧＵＩ上で出力先デバイスを選択する態様の場合、システム制御部４１０は指定の内容に従って出力先デバイスを選択する。この他、ジョブの内容とデバイスの特性との比較に基づいて自動的に選択する態様も可能である。
【００６１】
ジョブの内容とデバイスの特性との比較に基づいて出力先デバイスを自動的に選択する場合、システム制御部４１０は、利用可能なデバイスの情報をデバイス情報管理部４１６から取得する。このようにして出力先デバイスを決定すると、システム制御部４１０は、決定した出力先デバイスを示す情報をＪＤＦ情報に付与する。
【００６２】
出力先デバイスを決定した後、システム制御部４１０はワークフロー制御部４１８に対してジョブの実行指示を行う。この際、オペレータの操作に基づいてワークフロー情報格納部４１９に予め登録されているワークフロー情報を用いても良いし、オペレータの操作に従って設定された内容に基づいて新たなワークフロー情報が生成されても良い。
【００６３】
ワークフロー制御部４１８は、システム制御部４１０から実行指示を受け付けると、指定されたワークフロー情報若しくは新たに生成したワークフロー情報に従い、指定された実行順に従ってジョブ制御部４１３に各処理の実行指示を行う。即ち、ワークフロー制御部４１８が処理実行制御部として機能する。
【００６４】
実行指示を受けたジョブ制御部４１３は、上述したＰＤＬ情報及びＪＤＦ情報をＲＩＰエンジン４２０に入力してＲＩＰ処理を実行させる。ＪＤＦ情報には、ＲＩＰエンジンによって行われる複数のＲＩＰ内部処理夫々について、ＨＷＦサーバ４、ＤＦＥ１００のいずれにおいて実行するかを示す情報が含まれる。
【００６５】
ジョブ制御部４１３は、ＪＤＦ情報に含まれる情報のうち、ＲＩＰ処理の振り分けの情報を参照し、ワークフロー制御部４１８から指示された処理がＨＷＦサーバ４において実行するべき処理であれば、ＲＩＰエンジン４２０に対して指定された処理を実行させる。ＲＩＰエンジン４２０は、ジョブ制御部４１３からの指示に従い、ＪＤＦ情報において指定されたパラメータに基づいてＲＩＰ処理を実行する。
【００６６】
このようにしてＲＩＰ処理を実行したＲＩＰエンジン４２０は、処理を実行したＲＩＰ処理のＲＩＰステータスを更新する。これにより、複数のＲＩＰ内部処理のうちＨＷＦサーバ４において実行されたＲＩＰ内部処理については、ステータスが「Ｄｏｎｅ」に変更される。ＲＩＰエンジン４２０が、制御側描画情報生成部として機能する。
【００６７】
ＲＩＰ処理が実行されることによって生成されるＲＩＰ実行結果データは、ＰＤＬ情報、中間データ、ラスターデータのいずれかである。これらはＲＩＰ内部処理の内容に異なるが、処理が進むことによって当初ＰＤＬ情報であったデータに基づいて中間データが生成され、最終的にラスターデータが生成される。ＲＩＰ実行結果データは、実行中のジョブに関連付けられてジョブデータ格納部４１４に格納される。
【００６８】
１つのＲＩＰ内部処理が完了すると、ＲＩＰエンジン４２０がジョブ制御部４１３に完了を通知し、ジョブ制御部４１３がワークフロー制御部４１８に通知する。これにより、ワークフロー制御部４１８が、ワークフロー情報に従って次の処理の制御を開始する。
【００６９】
ジョブ制御部４１３は、ワークフロー制御部４１８から受け取ったジョブの内容が、他システムに対する要求である場合、ジョブ送受信部４２１に対して、他システムに応じた形でジョブデータを入力し、ジョブデータを送信させる。オフセットプリンタ２へのジョブデータの送信の場合、印刷対象のデータはラスターデータに変換された上でジョブデータとして送信される。
【００７０】
他方、デジタルプリンタ１へのジョブデータの送信の場合、ジョブ制御部４１３は、ＤＦＥ１００に含まれる複数のＲＩＰエンジンのうち、ＲＩＰエンジン４２０に対応した同一のＲＩＰエンジンを指定してジョブ送受信部４２１にジョブデータを入力する。これにより、ジョブ送受信部４２１は、ＲＩＰエンジン４２０に対応した同一のＲＩＰエンジンを指定してＤＦＥ１００にジョブデータを送信する。
【００７１】
ジョブ送受信部４２１は、ＰＤＬ情報または中間データと、ＪＤＦ情報とをパッケージしたジョブデータをＤＦＥ１００に送信する。尚、ジョブデータの送信態様として、ＰＤＬ情報または中間データを外部リソースデータとし、ＪＤＦ情報内にＰＤＬ情報または中間データの格納先を示すＵＲＬを記述する態様でも良い。この場合、ＪＤＦ情報を受信した側でＵＲＬにアクセスし、ＰＤＬ情報または中間データを取得する。
【００７２】
次に、本実施形態に係るＤＦＥ１００の機能構成について図６を参照して説明する。ＤＦＥ１００は、ＨＷＦサーバ４からジョブデータを受信し、受信したジョブの制御、ＲＩＰ処理の実行制御及びデジタルエンジン１５０の制御を行う。ＨＷＦサーバ４は、ＤＦＥ１００にジョブデータを送信することにより、デジタルエンジン１５０による印刷出力を実行させる。即ち、ＤＦＥ１００は、ＨＷＦサーバ４に対してデジタルプリント機能を提供するためのサーバとして機能する。
【００７３】
ＤＦＥ１００が提供するジョブの制御機能とは、ジョブデータの受け付け、ＪＤＦ情報の解析、ラスターデータの作成及びデジタルエンジン１５０による印刷出力等の一連の動作の制御機能である。ＲＩＰ処理の実行制御とは、ＪＤＦ情報とＰＤＬ情報の解析によって生成された情報に基づいてＲＩＰエンジンにＲＩＰ処理を実行させる制御である。
【００７４】
ＪＤＦ情報の解析によって生成される情報とは、図３において説明したＪＤＦ情報のうち、ＲＩＰ処理に用いられる情報が抽出され、ＤＦＥ１００において解読可能な形式に変換された情報であり、“ＤＦＥ内ジョブ属性”と呼ばれる。このＤＦＥ内ジョブ属性とＰＤＬ情報を参照してＲＩＰ処理が実行されることにより、中間データ、ラスターデータが作成される。
【００７５】
デジタルエンジン１５０の制御機能とは、デジタルエンジン１５０にラスターデータ及び上述したＤＦＥ内ジョブ属性の一部を送信して印刷出力を実行させる機能である。これらの機能は、図６に示す各ブロックによって実現される。図６に示す各ブロックは、図２において説明したように、ＲＡＭ２０にロードされたプログラムやＲＯＭ３０に格納されたプログラムに従ってＣＰＵ１０が演算処理を行い、他のハードウェアを動作させることにより実現される。
【００７６】
ＤＦＥ１００は、内部に複数のＲＩＰエンジンを搭載している。これは、ＨＷＦシステムにおいてＤＦＥ１００にジョブを送信する可能性のある他のデバイスのＲＩＰエンジンに夫々対応して搭載されたものである。本実施形態においては、複数のＨＷＦサーバ４ａ、４ｂに夫々異なるＲＩＰエンジンが含まれているため、ＤＦＥ１００には夫々のＲＩＰエンジンに対応して複数のＲＩＰエンジンが搭載されている。
【００７７】
ジョブ受信部１１１は、内部に複数の個別ジョブ受信部１１２を含む。個別ジョブ受信部１１２は、ネットワークＩ／Ｆ１０１を介してＨＷＦサーバ４からジョブデータを受信する。複数の個別ジョブ受信部１１２は、ＤＦＥ１００に搭載されている複数のＲＩＰエンジンに夫々対応している。個別ジョブ受信部１１２が個別受信部として機能する。
【００７８】
上述したように、ＨＷＦサーバ４からのＤＦＥ１００へのジョブデータの送信に際しては、対応するＲＩＰエンジンが指定されて送信される。そのため、ジョブ受信部１１１においては、指定されたＲＩＰエンジンに対応した個別ジョブ受信部１１２がジョブデータを受信する。
【００７９】
尚、ＤＦＥ１００へのジョブデータの入力は、ＨＷＦサーバ４からネットワークを介した入力の他、ＵＳＢメモリ等の可搬型記憶媒体を介して入力することも可能である。本実施形態においてはジョブデータにＪＤＦ情報が含まれる場合を例として説明するが、ＪＤＦが含まれていない場合、ジョブ受信部１１１はダミーのＪＤＦを作成して、ジョブデータにＪＤＦ情報を付与する。
【００８０】
個別ジョブ受信部１１２は、上述した夫々のＲＩＰエンジンに対応して設けられる場合の他、予めジョブの内容が設定された仮想プリンタとしても機能する。即ち、ＤＦＥ１００に搭載されたＲＩＰエンジン及びジョブの内容を設定した個別ジョブ受信部１１２を設け、複数の個別ジョブ受信部１１２のいずれかを指定することにより、予め設定された内容でジョブを実行させることが可能となる。
【００８１】
本実施形態に係る個別ジョブ受信部１１２において可能な設定の１つに、“パススルーモード”がある。この“パススルーモード”は、ＤＦＥ１００においてＲＩＰエンジンとは個別に設けられたＪＤＦ情報の解析機能であるＪＤＦ解析部１１７によるＪＤＦ情報の解析処理を行わせず、ＲＩＰエンジンにおいてＪＤＦ情報の解析を実行するモードである。
【００８２】
このような機能により、ＪＤＦ解析部１１７が対応していない形式のＪＤＦ情報を用いることや、ＲＩＰエンジンの外側にＪＤＦ解析機能を設けることが難しいＲＩＰエンジンをＨＷＦサーバ４及びＤＦＥ１００において用いることが可能となる。本実施形態においては、ＨＷＦサーバ４に搭載されたＲＩＰエンジン４２０とＤＦＥ１００に搭載されたＲＩＰエンジン１２０とで処理を分担する際に、上述した“パススルーモード”が用いられる。ＲＩＰエンジン４２０に対応した同一のＲＩＰエンジン１２０が、出力側描画情報生成部として用いられる。
【００８３】
ＲＩＰ処理をＨＷＦサーバ４とＤＦＥ１００とに分散する場合、可能な限りＨＷＦサーバ４とＤＦＥ１００との区分が意識されず、一連の処理として実行されることが好ましい。そのため、ＨＷＦサーバ４において途中まで処理されたデータがＤＦＥ１００に入力された場合、未処理のジョブデータが入力された場合と同様のＪＤＦ解析処理は省略し、ＨＷＦサーバ４における処理の続きとして処理が実行されることが好ましい。
【００８４】
本実施形態においては、ＨＷＦサーバ４とＤＦＥ１００とで対応した同一のＲＩＰエンジンが搭載されているため、このようなＲＩＰ処理の制御を好適に実現することが可能である。また、そのような場合においては、一方のＲＩＰエンジンによって処理されたデータがそのまま他方のＲＩＰエンジンに受け渡されることが好ましいため、上述した“パススルーモード”によってそのような制御を好適に実現することが出来る。
【００８５】
システム制御部１１３は、個別ジョブ受信部１１２が受信したジョブデータをジョブデータ格納部１１４に格納し、若しくはジョブ制御部１１６に受け渡す。ＤＦＥ１００においてジョブデータを格納する設定がされている場合、システム制御部１１３はジョブデータをジョブデータ格納部１１４に格納する。また、ジョブデータ格納部１１４に格納するか否かがＪＤＦ情報に記述されている場合、システム制御部１１３はその記述に従う。
【００８６】
ジョブデータ格納部１１４にジョブデータを格納する場合とは、例えばＤＦＥ１００において印刷内容のプレビューを行う場合等である。この場合、システム制御部１１３は、ジョブデータに含まれる印刷対象のデータ、即ちＰＤＬ情報や中間データを、ジョブデータ格納部１１４から取得してプレビューデータを生成してＵＩ制御部１１５に受け渡す。これにより、ＵＩ制御部１１５は、印刷内容のプレビューをディスプレイ１０２に表示させる。
【００８７】
プレビューデータの生成に際して、システム制御部１１３はジョブ制御部１１６に印刷対象のデータを受け渡してプレビューデータの生成を要求する。ジョブ制御部１１６はＲＩＰ部１１８に印刷対象のデータを受け渡してプレビューデータを生成させ、生成されたプレビューデータをシステム制御部１１３に受け渡す。
【００８８】
また、ＤＦＥ１００においてオペレータがＪＤＦ情報の変更を行う場合も、ジョブデータ格納部１１４にジョブデータが格納される。この場合、システム制御部１１３は、ＪＤＦ情報をジョブデータ格納部１１４から取得してＵＩ制御部１１５に受け渡す。これにより、ディスプレイ１０２にジョブデータのＪＤＦ情報が表示され、オペレータが操作によって変更することが可能となる。
【００８９】
オペレータがＤＦＥ１００を操作してＪＤＦ情報を変更した場合、ＵＩ制御部１１５は変更内容を受け付けてシステム制御部１１３に通知する。システム制御部１１３は、受け付けた変更内容を対象のＪＤＦ情報に反映して更新し、更新後のＪＤＦ情報をジョブデータ格納部１１４に記憶させる。
【００９０】
そして、システム制御部１１３は、ジョブ実行の指示を受け付けると、ジョブデータ格納部１１４に格納されたジョブデータをジョブ制御部１１６に受け渡す。ジョブ実行の指示は、ＨＷＦサーバ４からネットワークを介して入力される場合や、ＤＦＥ１００に対するオペレータの操作によって入力される。また、例えば、ＪＤＦ情報にジョブの実行時刻が設定されている場合、システム制御部１１３は、設定時刻になるとジョブデータ格納部１１４に格納されたジョブデータをジョブ制御部１１６に受け渡す。
【００９１】
ジョブデータ格納部１１４は、このようにジョブデータを格納するための記憶領域であり、図２において説明したＨＤＤ４０等によって実現される。この他、ＤＦＥ１００にＵＳＢインタフェース等を介して接続された記憶装置や、ネットワークを介して接続された記憶装置であっても良い。
【００９２】
ＵＩ制御部１１５は、上述したようにディスプレイ１０２への情報の表示や、ＤＦＥ１００に対するオペレータの操作を受け付ける。上述したＪＤＦ情報の編集操作において、ＵＩ制御部１１５はＪＤＦ情報を解釈してディスプレイ１０２に印刷ジョブの内容を表示する。
【００９３】
ジョブ制御部１１６は、システム制御部１１３からのジョブの実行指示に基づいてジョブの実行に係る制御を行う。具体的に、ジョブ制御部１１６が行う制御は、ＪＤＦ解析部１１７によるＪＤＦ解析処理、ＲＩＰ部１１８によるＲＩＰ処理、プリンタ制御部１２２によるデジタルエンジン１５０の制御処理である。
【００９４】
ジョブ制御部１１６は、システム制御部１１３からジョブの実行指示を受けると、ジョブデータに含まれるＪＤＦ情報をＪＤＦ解析部１１７に入力してＪＤＦ変換要求を行う。ＪＤＦ変換要求とは、ＪＤＦ情報の生成元の形式で記述されたＪＤＦ情報を、ＲＩＰ部１１８において認識可能な形式に変換する処理の要求である。
【００９５】
他方、上述したように“パススルーモード”が指定されている場合、ジョブ制御部１１６は、システム制御部１１３から取得したジョブデータに含まれるＪＤＦ情報を、そのままＲＩＰ部１１８に入力する。“パススルーモード”の指定は例えば個別ジョブ受信部１１２によってＪＤＦ情報に記述される。また、個別ジョブ受信部１１２によって“パススルーモード”の指定がされた場合、指定されたＲＩＰエンジン１２０に応じて「ページモード」、「シートモード」の指定も記述される。
【００９６】
ＪＤＦ解析部１１７は、上述したように生成元の形式で記述されたＪＤＦ情報をＲＩＰ部１１８において認識可能な形式に変換する。ＪＤＦ解析部１１７は内部に変換テーブルを保持しており、その変換テーブルに従ってＪＤＦ情報に含まれる情報のうちＲＩＰ部１１８において必要な情報を抜き出して記述形式を変換する。これにより、上述したＤＦＥ内ジョブ属性が生成される。
【００９７】
図７は、本実施形態に係るＪＤＦ解析部１１７が保持している変換テーブルの例を示す図である。図７に示すように、本実施形態に係る変換テーブルは、ＪＤＦ情報における記述形式とＤＦＥ内ジョブ属性における記述形式とが関連付けられた情報である。例えば、図３において説明した“部数”の情報は、実際のＪＤＦ情報においては“Ａ・Ａｍｏｕｎｔ”と記述されており、ＤＦＥ内ジョブ属性の生成に際して“部数”という記述に変換される。
【００９８】
図７に示すような変換テーブルを用いたＪＤＦ解析部１１７の処理により、ＤＦＥ内ジョブ属性が生成される。ＤＦＥ内ジョブ属性において記述される情報は、例えば図３に示す“ジョブ情報”、“エディット情報”、“フィニッシング情報”等である。
【００９９】
また、ＪＤＦ解析部１１７は、ＤＦＥ内ジョブ属性の生成に際して、ＤＦＥ内ジョブ属性に“ＲＩＰ制御モード”を設定する。“ＲＩＰ制御モード”には、「ページモード」、「シートモード」等が設定される。ＪＤＦ解析部１１７は、ジョブデータを受信した個別ジョブ受信部１１２の種類、ジョブの内容、ジョブデータの送信元であるＨＷＦサーバ４を構成するＨＷＦソフトウェア等に応じて“ＲＩＰ制御モード”を割り当てる。
【０１００】
本実施形態においては、印刷ジョブにおける集約印刷の設定を「ページモード」で扱っている。“ＲＩＰ制御モード”について詳細は後述する。
【０１０１】
ジョブ制御部１１６は、ＪＤＦ解析部１１７によって生成されたＤＦＥ内ジョブ属性に基づいて“ＲＩＰパラメータ”を生成し、ＲＩＰ部１１８のＲＩＰ制御部１１９に対してＲＩＰパラメータを受け渡すことによりＲＩＰ処理を実行させる。これにより、ＲＩＰ部１１８においてはＲＩＰパラメータに基づいてＲＩＰ処理が実行される。
【０１０２】
図８は、本実施形態に係るＲＩＰパラメータの内容を示す図である。本実施形態に係るＲＩＰパラメータは、冒頭の情報として“入出力データ種類”、“データ読み込み情報”、“ＲＩＰ制御モード”を含む。“入出力データ種類”は、「ＪＤＦ」、「ＰＤＬ」等、入出力データの種類を指定する。指定の形式は、「ＪＤＦ」、「ＰＤＬ」等の他、テキスト形式や画像データの拡張子、中間データ等である。
【０１０３】
“データ読み込み情報”は、入出力データの読み込み位置、書き込み位置の指定方法や、指定位置の情報である。“ＲＩＰ制御モード”は、「ページモード」、「シートモード」の情報である。この他、冒頭の情報としては、ＲＩＰパラメータ内で使用する単位の情報や、データの圧縮方式の情報が含まれる。
【０１０４】
“入出力画像情報”は、“出力画像に関する情報”、“入力画像に関する情報”、“画像の取り扱いに関する情報”を含む。“出力画像に関する情報”は、出力画像データのフォーマット、解像度、サイズ、カラー分解、カラーシフト、ページ向き等の情報を含む。また、“入力画像に関する情報”は、入力画像データのフォーマット、解像度、ページ範囲、カラー設定等の情報を含む。“画像の取り扱いに関する情報”は、拡大縮小アルゴリズムのオフセット、オブジェクト領域、ハーフトーンのオフセット等の情報を含む。
【０１０５】
“ＰＤＬ関連情報”は、ＲＩＰパラメータが対象とするＰＤＬ情報に関連する情報であり、“データ領域”、“サイズ情報”、“データ配置方式”の情報を含む。尚、ここで言うＰＤＬ情報は、ジョブにおいて印刷対象となるデータであり、中間データの場合を含む。“データ領域”は、ＰＤＬ情報の格納されている領域情報を指定する。“サイズ情報”は、ＰＤＬ情報のデータサイズを指定する。“データ配置方式”は、「リトルエンディアン」、「ビッグエンディアン」等、ＰＤＬ情報のメモリにおけるデータ配置方式を指定する。
【０１０６】
他方、“パススルーモード”の場合、ジョブ制御部１１６は、ＪＤＦ情報及びＰＤＬ情報又は中間データに基づいてＲＩＰパラメータを生成する。この場合、ＲＩＰパラメータを構成する各項目には、対応するＪＤＦ情報の項目を参照するための情報が設定される。
【０１０７】
図８に示すように、ＲＩＰパラメータには“ＲＩＰ制御モード”が含まれる。ＲＩＰ制御部１１９は、“ＲＩＰ制御モード”に応じてＲＩＰエンジン１２０を制御する。従って、“ＲＩＰ制御モード”に従ってシーケンスが決定される。上述したように、“ＲＩＰ制御モード”には「ページモード」、「シートモード」が設定される。
【０１０８】
「ページモード」は、１枚の用紙に集約された複数の集約前のページ毎にＲＩＰ処理を実行してラスターデータを生成する処理である。「シートモード」は、１枚の用紙に集約される複数ページ毎にＲＩＰ処理を実行して、１枚に集約されたラスターデータを生成する処理である。
【０１０９】
また、“パススルーモード”の場合、“ＲＩＰ制御モード”に「パススルーモード」が指定される。但しこれは一例であり、“ＲＩＰ制御モード”以外の項目に「パススルーモード」が記述されていても良い。
【０１１０】
また、ジョブ制御部１１６は、ＲＩＰパラメータに“ＲＩＰエンジン識別情報”を設定する。“ＲＩＰエンジン識別情報”は、ＲＩＰ部１１８に含まれる複数のＲＩＰエンジン１２０を識別する情報である。本実施形態においては、ＨＷＦサーバ４に搭載されているＲＩＰエンジン４２０に対応した同一のＲＩＰエンジンがＤＦＥ１００において用いられる。
【０１１１】
そのため、ＪＤＦ情報には、上述したように個別ジョブ受信部１１２を指定する情報が含まれており、そのように指定された個別ジョブ受信部１１２によってジョブデータが受信される。個別ジョブ受信部１１２は、ＲＩＰエンジン１２０のいずれかに対応しており、対応するＲＩＰエンジン１２０の識別情報を、受信したＪＤＦ情報に付加する。ジョブ制御部１１６は、このようにＪＤＦ情報に付加されたＲＩＰエンジン１２０の識別情報に基づき、上述した“ＲＩＰエンジン識別情報”をＲＩＰパラメータに付加する。
【０１１２】
ＲＩＰ部１１８においては、ＲＩＰ制御部１１９が複数のＲＩＰエンジン１２０を制御し、入力されたＲＩＰパラメータに基づいてＲＩＰ内部処理を実行させてラスターデータを生成する。ここで、本実施形態に係るＲＩＰ制御部１１９は、本実施形態に係るシステムが、異なる複数のＨＷＦサーバ４から印刷ジョブを受信する可能性があることに対応するための機能を有する。
【０１１３】
異なる種類のＨＷＦサーバ４においては、印刷ジョブにおけるデータの取り扱い方法が異なる場合がある。例えば、上述した「ページモード」、「シートモード」等の“ＲＩＰ制御モード”の違いである。「ページモード」に対応したＲＩＰエンジン１２０の場合、集約印刷に際しては、集約数に応じた元ページのデータが夫々順番に指定される。
【０１１４】
他方、「シートモード」に対応したＲＩＰエンジン１２０の場合、集約前の元ページのデータが全て指定されてＲＩＰ処理が実行される。即ち、ＲＩＰエンジン１２０に対するパラメータの指定方法が異なる。このような差異は“ＲＩＰ制御モード”に限らない。例えば、元データの余白の取り扱い等、元データの形式や取扱い方法の差異によって発生する。
【０１１５】
このような差異に対応するため、本実施形態に係るＲＩＰ制御部１１９は、ＲＩＰ処理を実行させるＲＩＰエンジン１２０に応じて、ＲＩＰエンジン１２０に対して指定するパラメータの変換処理を行う。例えば、「シートモード」に対応したＲＩＰエンジン１２０に対して、「ページモード」に対応したデータを入力する場合、「ページモード」で記述されたパラメータを「シートモード」に変換する処理を行う。ＲＩＰエンジン１２０の機能については後に詳述する。
【０１１６】
画像格納部１２１は、ＲＩＰエンジン１２０によって生成されたラスターデータを記憶する記憶部である。画像格納部１２１は、図２において説明したＨＤＤ４０等によって実現される。この他、ＤＦＥ１００にＵＳＢインタフェース等を介して接続された記憶装置や、ネットワークを介して接続された記憶装置であっても良い。
【０１１７】
プリンタ制御部１２２は、デジタルエンジン１５０と接続されており、画像格納部１２１に格納されたラスターデータを読み出してデジタルエンジン１５０に送信することによって印刷出力を実行させる。また、ジョブ制御部１１６からＤＦＥ内ジョブ属性に含まれるフィニッシング情報を取得することにより、仕上げ処理のための制御を行う。
【０１１８】
プリンタ制御部１２２は、デジタルエンジン１５０との間で情報をやり取りすることにより、デジタルエンジン１５０自身の情報を取得することが出来る。例えばＣＩＰ４規格の場合、ＪＤＦ情報の規格としてデバイス仕様情報をプリンタと送受信するＤｅｖＣａｐｓという規格が定められている。また、ＳＮＭＰ（Ｓｉｍｐｌｅ  Ｎｅｔｗｏｒｋ  Ｍａｎａｇｅｍｅｎｔ  Ｐｒｏｔｏｃｏｌ）という通信プロトコルとＭＩＢ（Ｍａｎａｇｅｍｅｎｔ  Ｉｎｆｏｒｍａｔｉｏｎ  Ｂａｓｅ）というデータベースとを利用したプリンタの情報の収集方法も知られている。
【０１１９】
デバイス情報管理部１２３は、ＤＦＥ１００自身やデジタルエンジン１５０の情報であるデバイス情報を管理する。デバイス情報には、ＲＩＰ部１１８に含まれるＲＩＰエンジン１２０の情報や、ジョブ受信部１１１において構成されている個別ジョブ受信部１１２の情報が含まれる。そして、個別ジョブ受信部１１２の情報として、上述した“パススルーモード”の情報も含まれる。
【０１２０】
デバイス情報通信部１２４は、ＭＩＢやＪＭＦ（Ｊｏｂ  Ｍｅｓｓａｇｉｎｇ  Ｆｏｒｍａｔ）などの仕様に合わせた形で、ネットワークＩ／Ｆ１０１を介してＨＷＦサーバ４との間でデバイス情報のやり取りを行う。これにより、ＨＷＦサーバ４のデバイス情報通信部４１５が、ＤＦＥ１００からデバイス情報を取得する。その結果、クライアント端末５に表示されたＧＵＩにおいて、ＤＦＥ１００に含まれるＲＩＰエンジン１２０の情報や、個別ジョブ受信部１１２の情報が反映されることとなる。
【０１２１】
ＤＦＥ１００においてプリンタ制御部１２２によってデジタルエンジン１５０が制御されて印刷出力が完了すると、システム制御部１１３はジョブ制御部１１６を介してそれを認識する。そして、システム制御部１１３は、ジョブ受信部１１１を介して印刷ジョブの完了通知をＨＷＦサーバ４に通知する。これにより、ＨＷＦサーバ４のジョブ送受信部４２１がジョブの完了通知を受け付ける。
【０１２２】
ＨＷＦサーバ４においては、ジョブ送受信部４２１がジョブ制御部４１３にジョブ完了通知を転送し、ジョブ制御部４１３がワークフロー制御部４１８にジョブ完了を通知する。ＨＷＦサーバ４からＤＦＥ１００へのジョブデータの送信は、元々ワークフロー制御部４１８がワークフロー情報に従って実行したものである。
【０１２３】
ワークフロー制御部４１８は、ＤＦＥ１００によるジョブの完了を認識すると、ワークフロー情報に従って次の処理の実行を制御する。ＤＦＥ１００による印刷出力の次に設定される処理としては、例えば後処理装置３による後処理等がある。
【０１２４】
次に、本実施形態に係るＲＩＰエンジンの機能構成について説明する。図９は、ＪＤＦ解析部１１７によるＪＤＦ解析処理を伴う場合のＲＩＰエンジン１２０の機能構成を示す図である。上述したように、ＲＩＰエンジン１２０は図８において説明したＲＩＰパラメータに基づいてＲＩＰ内部処理を実行してラスターデータを生成するソフトウェアモジュールである。ＲＩＰエンジンとしては、例えばアドビ・システムズによって提供されるＰＤＦプリンティングエンジンであるＡＰＰＥ等がベースとして用いられる。
【０１２５】
図９に示すように、ＲＩＰエンジン１２０は、制御部２０１と他の部分とによって構成される。制御部２０１以外の部分が、ベンダーによって拡張可能な拡張部である。制御部２０１は、拡張部として含まれる様々な機能を利用することによりＲＩＰ処理を実行する。
【０１２６】
入力部２０２は、初期化要求やＲＩＰ処理の実行要求を受け付け、その要求を制御部２０１に通知する。初期化要求に際しては、上述したＲＩＰパラメータも共に制御部２０１に入力される。初期化要求を受けた制御部２０１は、同時に受け付けたＲＩＰパラメータをＲＩＰパラメータ解析部２０３に入力する。そして、ＲＩＰパラメータ解析部２０３の機能によりＲＩＰパラメータの解析結果を取得し、ＲＩＰ処理においてＲＩＰエンジン１２０に含まれる夫々の拡張部を動作させる順番を決定する。また、それらの処理の結果生成されるデータの形式が、ラスタイメージ、プレビューイメージ、ＰＤＦ、中間データ等のいずれかを決定する。
【０１２７】
また、制御部２０１は、入力部２０２からＲＩＰ処理の実行要求を受け付けると、初期化要求を受け付けた際に決定した処理順に従って拡張部の各部を動作させる。プリフライト処理部２０４は、入力されたＰＤＬデータの内容の妥当性の確認を行う。そして、不正なＰＤＬ属性を発見した場合、制御部２０１に通知する。この通知を受けた制御部２０１は、出力部２１３を介してＲＩＰ制御部１１９やジョブ制御部１１６等の外部モジュールに通知を行う。
【０１２８】
プリフライト処理によって確認される属性の情報としては、例えば非対応のフォントが指定されていないか否か等、ＲＩＰエンジン１２０に含まれる他のモジュールによる処理が不可能になる事態が発生し得る情報である。
【０１２９】
ノーマライズ処理部２０５は、入力されたＰＤＬデータがＰＤＦではなくＰｏｓｔＳｃｒｉｐｔである場合にＰＤＦに変換する。マーク処理部２０６は、指定されたマークのグラフィック情報を展開し、印刷対象の画像において指定された位置に重畳する。
【０１３０】
フォント処理部２０７は、フォントデータを取り出し、フォントのＰＤＬへの埋め込みフォント化、アウトライン化を行う。ＣＭＭ（Ｃｏｌｏｒ  Ｍａｎａｇｅｍｅｎｔ  Ｍｏｄｕｌｅ）処理部２０９は、ＩＣＣ（Ｉｎｔｅｒｎａｔｉｏｎａｌ  Ｃｏｌｏｒ  Ｃｏｎｓｏｒｔｉｕｍ）プロファイルに記述された色変換テーブル等に基づいて、入力画像の色空間をＣＭＹＫ（Ｃｙａｎ，Ｍａｇｅｎｔａ，Ｙｅｌｌｏｗ，ｂｌａｃＫ）へ変換する。ＩＣＣプロファイルとは、カラーＩＣＣ情報、デバイスＩＣＣ情報である。
【０１３１】
Ｔｒａｐｐｉｎｇ処理部２１０は、トラッピング処理を行う。トラッピング処理とは、境界を接して隣接している異なる色の領域について位置ずれが生じた場合に境界部分に隙間が生じることを防ぐため、夫々の色の領域を拡張して隙間が埋まるようにする処理である。
【０１３２】
Ｃａｌｉｂｒａｔｉｏｎ処理部２１１は、ＣＭＭ処理部２０９による色変換の精度を高めるため、出力デバイスの経時変動や個体差による発色バランスのばらつきの調節作業を実施する。尚、Ｃａｌｉｂｒａｔｉｏｎ処理部２１１による処理は、ＲＩＰエンジン１２０の外部において実行される場合もあり得る。
【０１３３】
Ｓｃｒｅｅｎｉｎｇ処理部２１２は、最終出力を意識した網点の生成処理を実施する。尚、Ｓｃｒｅｅｎｉｎｇ処理部２１２による処理は、Ｃａｌｉｂｒａｔｉｏｎ処理部２１１による処理と同様に、ＲＩＰエンジン１２０の外部において実行される場合もあり得る。出力部２１３は、外部にＲＩＰ結果を送信する。ＲＩＰ結果は、初期化時に決定したラスタイメージ、プレビューイメージ、ＰＤＦ、中間データのいずれかである。
【０１３４】
レンダリング処理部２１８は、入力データに基づいてラスターデータを生成するレンダリング処理を行う。尚、図９に示す各処理部のうち、マーク処理部２０６、フォント処理部２０７による処理は、レンダリング処理部２１８において同時に実行される場合もある。
【０１３５】
次に、ＪＤＦ解析部１１７によるＪＤＦ解析処理を伴わない場合のＲＩＰエンジン１２０の機能構成について、図１０を参照して説明する。上述したように、ＪＤＦ解析部１１７によるＪＤＦ解析処理を伴わない場合とは、ＨＷＦサーバ４とＤＦＥ１００とでＲＩＰ内部処理を分散する場合である。従って、図１０に示すＲＩＰエンジン１２０と同様の構成をＨＷＦサーバ４に搭載されるＲＩＰエンジン４２０も含む。
【０１３６】
図１０に示すように、ＪＤＦ解析部１１７によるＪＤＦ解析処理を伴わない場合のＲＩＰエンジン１２０の機能構成は、大部分は図９において説明した構成と同一である。以下、図９とは異なる部分のみ説明する。制御部２０１以外の部分が拡張部であることも図９と同様である。
【０１３７】
図１０の例における制御部２０１は、入力部２０２から初期化要求を受け付けると、初期化要求と共にＪＤＦ情報を取得する。そして、制御部２０１は、ジョブ属性解析部２１４の機能を利用してＪＤＦ情報及びＰＤＬ情報を解析し、図９の場合と同様に拡張部夫々の処理順や処理の結果生成されるデータの形式を決定する。
【０１３８】
特に、ＤＦＥ１００に搭載されたＲＩＰエンジン１２０の場合、処理結果のデータ形式はプリンタ制御部１２２に入力するためのラスターデータとなることが多い。これに対して、ＨＷＦサーバ４に搭載されたＲＩＰエンジン４２０の場合、処理結果のデータ形式は、ＨＷＦサーバ４とＤＦＥ１００との処理の分散態様に応じて異なる。従って、ＲＩＰエンジン４２０における制御部２０１は、ジョブ属性解析部２１４による解析結果に基づき、ＰＤＬ情報や中間データ等の処理結果のデータ形式を決定する。
【０１３９】
また、制御部２０１は、ＲＩＰステータス解析部２１５の機能を利用して、ＪＤＦ情報に含まれるＲＩＰステータスの情報を解析し、既に実行済みのＲＩＰ内部処理の有無を確認する。既に実行済みのＲＩＰ内部処理部がある場合は、対応する拡張部を処理の対象から除外する。
【０１４０】
尚、ＲＩＰステータス解析部２１５は、ＪＤＦ情報に含まれるＲＩＰステータスを解析する場合の他、ＰＤＬ情報を解析して同様の処理を実行することも可能である。ＰＤＬ情報の場合、既に実行されたＲＩＰ内部処理についてはパラメータ等の属性情報が消えているので、残っている属性情報に基づいて未実行であるＲＩＰ内部処理を判断することが可能である。
【０１４１】
レイアウト処理部２１７は、面付け処理を実行する。ＲＩＰステータス管理部２１６は、制御部２０１の制御に従い、夫々の拡張部によって実行されたＲＩＰ内部処理に対応するＲＩＰステータスを「Ｄｏｎｅ」に書き換える。出力部２１３は、エンジンの外部にＲＩＰ結果を送信する。ＲＩＰ結果は、初期化時に決定したデータ形式のデータである。
【０１４２】
図１０に示すレンダリング処理部２１８も、図９と同様に入力データに基づいてラスターデータを生成するレンダリング処理を行う。そして、図１０示す各処理部のうち、マーク処理部２０６、フォント処理部２０７による処理に加えて、レイアウト処理部２１７による処理が、レンダリング処理部２１８において同時に実行される場合もある。
【０１４３】
また、上述したように、ＪＤＦ情報に含まれる“ＲＩＰデバイス指定”の情報によっては、「ＤＦＥ（エンジンＡ）」、「ＤＦＥ（エンジンＢ）」のように、ＤＦＥ１００内部に搭載された複数のＲＩＰエンジン１２０を使い分ける場合がある。制御部２０１では、他のＲＩＰエンジンの拡張部に処理を委託することは出来ないため、ジョブ制御部１１６によって処理される。
【０１４４】
上述したように、ジョブ制御部１１６は、“ＲＩＰエンジン識別情報”をＲＩＰパラメータに付加する。この際、異なるＲＩＰエンジンが指定されたＲＩＰ内部処理毎に、異なるＲＩＰパラメータを生成する。図３の例の場合、“フォント”、“レイアウト”の実行が指定された「エンジンＡ」用のＲＩＰパラメータと、“マーク”の実行が指定された「エンジンＢ」用のＲＩＰパラメータと、それ以降の処理の実行が指定された「エンジンＡ」用のＲＩＰパラメータとを生成する。
【０１４５】
そして、ジョブ制御部１１６は、ＲＩＰ内部の処理の順番に従って、生成したＲＩＰパラメータ毎に順番にＲＩＰ部１１８にＲＩＰ処理を要求する。これにより、「エンジンＡ」、「エンジンＢ」が使い分けられてＲＩＰ内部処理が実行される。
【０１４６】
この際、夫々のエンジンにおいて指定された処理のみが実行されるようにする方法として、“ＲＩＰステータス”の情報を参照することが出来る。即ち、実行させる処理の項目のみステータスを「ＮｏｔＹｅｔ」とし、他の処理を「Ｄｏｎｅ」とすることにより、指定した処理のみを実行させることが出来る。
【０１４７】
尚、上述したように、本実施形態に係るシステムにおいては、ＨＷＦサーバ４に搭載されているＲＩＰエンジン４２０と共通のＲＩＰエンジン１２０がＤＦＥ１００に搭載されている。ここで、共通化されたＲＩＰエンジンとは、少なくともラスターデータの生成に関する部分である。
【０１４８】
従って、ＲＩＰエンジン４２０とＲＩＰエンジン１２０とは、図９、図１０に示す夫々の処理部の全てが共通化されているのではない。少なくとも、マーク処理部２０６、フォント処理部２０７、レイアウト処理部２１７及びレンダリング処理部２１８等の、ラスターデータの生成に係る処理部が共通化されていれば良い。尚、ラスターデータの生成に係る処理部が共通化されるのは最低限の構成であり、他の処理部について共通化されていても良い。
【０１４９】
次に、本実施形態に係るシステムの動作について、図１１を参照して説明する。図１１は、本実施形態に係るＨＷＦシステムの動作を示すシーケンス図である。図１１においては、デジタルプリンタ１により印刷出力が実行される場合の例を示している。図１１に示すように、ＨＷＦサーバ４においては、デバイス情報通信部４１５がネットワークを介してＤＦＥ１００やＣＴＰ２００からデバイス情報を取得し、デバイス情報管理部４１６がデバイス情報格納部４１７に情報を登録する（Ｓ１１０１）。Ｓ１１０１の処理は定期的に実行される。
【０１５０】
他方、クライアント端末５は、システムのＧＵＩに対するオペレータの操作によりジョブデータの登録操作が行われると、ＨＷＦサーバ４に対してジョブ登録要求を送信する（Ｓ１１０２）。ＨＷＦサーバ４においてはＵＩ制御部４１２がジョブ登録要求を取得する。これにより、システム制御部４１０の制御に従ってデータ受信部４１１がジョブデータを取得する（Ｓ１１０３）。
【０１５１】
データ受信部４１１によってジョブデータが取得されると、システム制御部４１０はジョブ制御部４１３を制御し、取得したジョブデータの形式をＰＤＬ形式に変換する（Ｓ１１０４）。このようにして変換されたジョブデータがジョブデータ格納部４１４に登録される。Ｓ１１０２においてジョブの登録操作が行われるＧＵＩにおいては、登録対象のデータをファイルパス等により指定するためのインタフェースの他、図３において説明したＪＤＦに含まれる情報の項目を夫々指定するための入力部が表示される。
【０１５２】
また、Ｓ１１０１の処理により、ＨＷＦサーバ４においては、ＤＦＥ１００に搭載されているＲＩＰエンジンの種類の情報が取得されている。従って、クライアント端末５のＧＵＩにおいては、図３に示す“ＲＩＰデバイス指定”の情報を指定するための入力欄においては、ＤＦＥに実行させる場合に、どのＲＩＰエンジンに実行させるかを選択することが可能となる。
【０１５３】
また、クライアント端末５は、システムのＧＵＩに対するオペレータの操作によりジョブデータの分割操作が行われると、ＨＷＦサーバ４に対してジョブ分割要求を送信する（Ｓ１１０５）。図１２は、Ｓ１１０５において送信されるジョブ分割要求に含まれる情報の例を示す図である。図１２に示すように、分割対象のジョブを示す情報の他、分割の内容が指定された情報がジョブ分割要求において送信される。分割の内容を示す情報は、印刷出力を実行するデバイスがページ単位で指定された情報である。
【０１５４】
ジョブ分割要求を受けたＨＷＦサーバ４においては、システム制御部４１０が、図１２に示す情報において指定されている分割対象ジョブについて、分割内容に従ってページ単位でジョブを分割し、別個のジョブを生成する（Ｓ１１０６）。この際、夫々の分割範囲毎に指定されているデバイスが、ＪＤＦ情報において図３に示す“デバイス指定”の情報として用いられる。このようにして分割して生成されたジョブが個別のジョブとしてジョブデータ格納部４１４に格納される。
【０１５５】
また、クライアント端末５は、システムのＧＵＩに対するオペレータの操作によりワークフローの生成操作が行われると、ＨＷＦサーバ４に対してワークフロー生成要求を送信する（Ｓ１１０７）。ワークフロー生成要求においては、図５に示すようなワークフローの内容を指定する情報及びそのワークフローに従って処理すべきジョブを特定する情報が送信される。
【０１５６】
ワークフロー生成要求を受けたＨＷＦサーバ４においては、システム制御部４１０が、要求と共に受信した情報をワークフロー制御部４１８に入力する。これにより、ワークフロー制御部４１８が、受信した情報に基づいて新たなワークフロー情報を生成してワークフロー情報格納部４１９に格納すると共に、そのワークフローと要求において特定されたジョブとを関連付ける（Ｓ１１０８）。ワークフローとジョブとの関連付けは、例えばワークフローを識別するための識別子をＪＤＦ情報に付加することによって実行される。
【０１５７】
このような処理の後、クライアント端末５においてシステムのＧＵＩに対するオペレータの操作によりジョブ実行操作が行われると、クライアント端末５がＨＷＦサーバ４に対してジョブ実行要求を送信する。尚、Ｓ１１０２〜Ｓ１１０９の操作は夫々異なる操作に応じて実行されても良いし、一度の操作でジョブ登録要求、ジョブ分割要求、ワークフロー生成要求、ジョブ実行要求が行われても良い。
【０１５８】
ジョブ実行要求を受けたＨＷＦサーバ４においては、システム制御部４１０が、要求と共に受信したジョブデータを特定するための情報に基づき、ジョブデータ格納部４１４から指定されたジョブデータを取得する（Ｓ１１１０）。また、システム制御部は、取得したジョブデータにおいて指定されているデバイスの最新の情報をデバイス情報管理部４１６から取得し、ジョブに対してデバイスの情報を設定する（Ｓ１１１１）。
【０１５９】
その後、システム制御部４１０は、ワークフロー制御部４１８にジョブデータを受け渡し、ワークフローの実行を開始させる（Ｓ１１１２）。ワークフロー制御部４１８は、取得したジョブデータに関連付けられているワークフロー情報をワークフロー情報格納部４１９から取得し、ワークフロー情報に従って処理を実行する。
【０１６０】
ワークフロー処理においては、まずＨＷＦサーバ４に搭載されたＲＩＰエンジン４２０によって実行するべきサーバ内処理が実行される（Ｓ１１１３）。Ｓ１１１３においては、ジョブ制御部４１３がワークフロー制御部４１８の制御に従って上述したようにＲＩＰエンジン４２０に処理を実行させる。
【０１６１】
その後、ワークフローの処理がＤＦＥ１００における処理に到達したら、ジョブ制御部４１３が、ワークフロー制御部４１８の制御に従い、ジョブ送受信部４２１を制御してＤＦＥ１００にジョブデータを送信させる（Ｓ１１１４）。Ｓ１１１４においては、ジョブ制御部４１３が、複数の個別ジョブ受信部１１２からＪＤＦ情報において指定されている情報に応じた個別ジョブ受信部１１２を指定する。
【０１６２】
ＤＦＥ１００へのジョブデータの送信に際して複数の個別ジョブ受信部１１２のいずれかが指定されることにより、ＤＦＥ１００において適切な個別ジョブ受信部１１２がジョブデータを受信することとなる。ＤＦＥ１００にジョブデータが入力されることにより、上述したように、ＤＦＥ１００においてＲＩＰ処理やデジタルエンジン１５０による出力処理が実行される（Ｓ１１１５）。
【０１６３】
ＤＦＥ１００においては、指定された処理が完了すると、ジョブ受信部１１１によってＨＷＦサーバ４に完了通知が行われる（Ｓ１１１６）。ジョブ制御部４１３は、ジョブ送受信部４２１を介してＤＦＥ１００からの完了通知を受け取ると、ワークフロー制御部４１８に完了通知を行う。これにより、ワークフロー制御部４１８は、ＤＦＥ１００での制御の次にワークフローで指定されている後処理を実行させるための後処理要求を後処理装置３に対して行う（Ｓ１１１７）。
【０１６４】
Ｓ１１１７においては、ジョブ制御部４１３がワークフロー制御部４１８の制御に従ってジョブ送受信部４２１を制御し、後処理装置３に対して後処理要求を行う。このような処理により、本実施形態に係るシステムの動作が完了する。
【０１６５】
次に、図１１のＳ１１１５におけるＤＦＥ内処理について図１３のフローチャートを参照して説明する。図１３に示すように、まずはＨＷＦサーバ４からのジョブデータの送信に際して指定された個別ジョブ受信部１１２がジョブデータを受信する（Ｓ１３０１）。個別ジョブ受信部１１２は、ジョブデータを受信すると、自身に対して設定されている個別設定をジョブデータに反映するようにＪＤＦ情報を更新する（Ｓ１３０２）。
【０１６６】
上述した“パススルーモード”の設定もＳ１３０２において反映されることとなる。個別設定の反映されたジョブデータはシステム制御部１１３に入力される。システム制御部１１３は、入力されたジョブデータを設定に応じてジョブデータ格納部１１４に格納し、オペレータの操作に応じてＵＩ制御部１１５を介してプレビュー処理等を行う。
【０１６７】
そして、オペレータの操作や設定された実行時間への到達等、ＤＦＥ１００におけるジョブの実行タイミングになると、システム制御部１１３は、ジョブデータをジョブ制御部１１６に入力する。ジョブ制御部１１６は、入力されたジョブデータを参照し、パススルーモードか否かを確認する（Ｓ１３０３）。その結果、パススルーモードでなかった場合（Ｓ１３０３／ＮＯ）、ジョブ制御部１１６はＪＤＦ解析部１１７にジョブデータを入力してＤＦＥ内ジョブ属性を生成させる（Ｓ１３０４）。
【０１６８】
Ｓ１３０３の確認の結果、パススルーモードであった場合（Ｓ１３０４／ＹＥＳ）、若しくはＪＤＦ変換が完了してＤＦＥ内ジョブ属性が生成された場合、ジョブ制御部１１６は、ＲＩＰパラメータを生成する（Ｓ１３０５）。パススルーモードではない場合、Ｓ１３０５においては、図８において説明したようなＲＩＰパラメータが生成される。他方、パススルーモードの場合、図８に示す情報のうち、“入出力画像情報”以外の情報を含むＲＩＰパラメータが生成され、他の部分はＪＤＦ情報が参照される。
【０１６９】
ジョブ制御部１１６は、ＲＩＰパラメータを生成すると、ＲＩＰ部１１８に必要な情報を入力してＲＩＰ処理を実行させる。これにより、まずはＲＩＰ制御部１１９が上述したパラメータ変換を行う（Ｓ１３０６）。そして、ＲＩＰ制御部１１９が、変換後のパラメータを指定してＲＩＰエンジン１２０にＲＩＰ処理を実行させる（Ｓ１３０７）。これにより、ＲＩＰエンジン１２０によってラスターデータが作成される。
【０１７０】
尚、Ｓ１３０５においては、上述したように、図３に示す“ＲＩＰデバイス指定”の情報に基づき、ＲＩＰエンジン毎にＲＩＰパラメータが生成される。そして、Ｓ１３０７においては、生成されたＲＩＰパラメータ毎に順番にＲＩＰ処理が実行されてラスターデータが生成される。
【０１７１】
ラスターデータが生成され、ＲＩＰ部１１８からラスターデータを取得すると、ジョブ制御部１１６は、プリンタ制御部１２２にラスターデータを入力して、デジタルエンジン１５０による印刷出力を実行させる（Ｓ１３０８）。このような処理により、ＤＦＥ内処理が完了する。
【０１７２】
次に、図１３のＳ１３０７におけるＲＩＰ処理について、図１４を参照して説明する。図１４に示すように、まずは入力部２０２に対する初期化要求に基づいて制御部２０１が初期化処理を実行する（Ｓ１４０１）。Ｓ１４０１においては、図９の例の場合、ＲＩＰパラメータ解析部２０３がＲＩＰパラメータを受け付けて解析を行い、上述したようにＲＩＰエンジン１２０に含まれる夫々の拡張部のうち処理を実行させる拡張部や、その順番を決定する。また、処理の結果生成されるデータの形式を決定する。
【０１７３】
また、図１０の例の場合、ジョブ属性解析部２１４が、ＪＤＦ情報及びＰＤＬ情報を受け付けて解析を行い、処理を実行させる拡張部や、その順番を決定する。また、処理の結果生成されるデータの形式を決定する。続いて、図１０の例の場合、制御部２０１は、ＲＩＰステータス解析部２１５にステータス解析を実行させる。
【０１７４】
ステータス解析において、ＲＩＰステータス解析部２１５は、図３に示す“ＲＩＰステータス”を参照し、ＲＩＰ内部処理の１つの項目を選択する（Ｓ１４０２）。そして、そのステータスが「Ｄｏｎｅ」であれば（Ｓ１４０３／ＹＥＳ）、対応する拡張部を、Ｓ１４０１の処理において決定した実行対象の拡張部から除外する（Ｓ１４０４）。他方、「ＮｏｔＹｅｔ」であれば（Ｓ１４０３／ＮＯ）、特に処理は行わない。
【０１７５】
ＲＩＰステータス解析部２１５は、全てのＲＩＰ内部処理の項目についてＳ１４０２からの処理が完了するまで処理を繰り返す（Ｓ１４０５／ＮＯ）。ＲＩＰステータス解析部２１５が、全てのＲＩＰ内部処理の項目についてＳ１４０２からの処理を完了した後（Ｓ１４０５／ＹＥＳ）、入力部２０２がＲＩＰ処理の実行要求を取得すると（Ｓ１４０６／ＹＥＳ）、制御部２０１は、夫々の拡張部に対して順番に処理を実行させる（Ｓ１４０７）。
【０１７６】
Ｓ１４０７においては、Ｓ１４０１の処理において決定された拡張部であって、且つＳ１４０４の処理により除外されていない拡張部に対してのみ処理が要求される。また、Ｓ１４０１において決定された処理順に従って処理が要求される。そのようにして拡張部により処理が実行されてラスターデータが生成されると、出力部２１３が処理結果を出力する（Ｓ１４０８）。このような処理により、ＲＩＰ部１１８による処理が完了する。
【０１７７】
尚、本実施形態においては、図１０の例の場合、即ち、パススルーモードに対応しているＲＩＰエンジン１２０の場合についてのみ、Ｓ１４０２〜Ｓ１４０５の処理、即ちステータス解析処理が実行される場合を例としている。これは、ステータス解析処理が必要となるのは、上述したようにＨＷＦサーバ４とＤＦＥ１００とでＲＩＰ処理を分担する場合であることに基づいている。
【０１７８】
そのような場合には、ＨＷＦサーバ４とＤＦＥ１００とで同一のＲＩＰエンジンが搭載されていることを利用して、両者の境目を意識することなく一連の処理としてＲＩＰ処理を実行する。従って、ＨＷＦサーバ４においてＲＩＰエンジン４２０により処理されたデータをそのままＤＦＥ１００においてＲＩＰエンジン１２０に入力することが好ましく、ＲＩＰエンジンの外部に設けられたＪＤＦ解析部１１７を通さないパススルーモードが適している。
【０１７９】
しかしながら、これは一例であり、パススルーモードではない場合であっても、ＨＷＦサーバ４とＤＦＥ１００とでＲＩＰ処理を分担する場合であれば、ステータス解析を行うことが必要となる。即ち、ＨＷＦサーバ４とＤＦＥ１００とでＲＩＰ処理を分担する場合には、ＨＷＦサーバ４において既に実行されたＲＩＰ処理をＤＦＥ１００側で除外する必要がある。
【０１８０】
従って、パススルーモードに対応していないＲＩＰエンジン１２０であっても、ＨＷＦサーバ４とＤＦＥ１００とでＲＩＰ処理を分担するため、ＲＩＰステータス解析部２１５を設けても良い。換言すると、ＨＷＦサーバ４とＤＦＥ１００とでＲＩＰ処理を分担する場合であっても、ＤＦＥ１００側でＪＤＦ解析部１１７によるＪＤＦ解析を行った上で、ＲＩＰステータス解析部２１５によるステータス解析を行って必要なＲＩＰ内部処理を判断しても良い。
【０１８１】
このように、本実施形態にかかるＨＷＦシステムにおいては、ＨＷＦサーバ４に搭載されたＲＩＰエンジン４２０に対応したＲＩＰエンジン１２０がＤＦＥ１００に搭載されている。しかし、図１５に示すように、同じ印刷データを用いて追加印刷を行う、いわゆる「重版印刷」の際に、ＤＦＥ１００において使用されているＲＩＰエンジン１２０の切り替えが行われ、初回印刷時に使用されていたＲＩＰエンジンと異なる場合がある。
【０１８２】
図１５では、例えば、初回印刷時にはＲＩＰエンジン１２０ａにてＲＩＰ処理を実行したが、重版印刷時には、ＲＩＰエンジン１２０ｂにＲＩＰ処理を実行させる場合に、初回印刷と重版印刷とで使用されるＲＩＰエンジン１２０が異なる。
【０１８３】
そこで、本実施形態においては、初回印刷時のラスターデータを保存し、初回印刷時と重版印刷時とのラスターデータを比較し、比較結果に基づいて、初回印刷時と同一の印刷出力が重版印刷においても実行可能か否か判断する。また、保存するラスターデータを所定の基準に基づいて選出することで、保存される情報量を小さくする。
【０１８４】
図１６は、本実施形態にかかるＤＦＥ１００に搭載されるＲＩＰエンジン１２０において実行可能な機能を示した図である。図１５に示すようにＤＦＥ１００には、複数のＲＩＰエンジン１２０が含まれるため、夫々をＲＩＰエンジン１２０ａ、１２０ｂ、１２０ｃ、１２０ｄとして区別する。
【０１８５】
ＲＩＰエンジン１２０ａは、レイヤー、グラデーション、アノテーション、オーバープリント、フォント種類の機能が利用可能であるが、トラッピングの機能を利用することが出来ない。ＲＩＰエンジン１２０ｂは、レイヤー、グラデーション、アノテーション、トラッピング、フォント種類の機能が利用可能であるが、オーバープリントの機能を利用することが出来ない。ＲＩＰエンジン１２０ｃは、レイヤー、グラデーション、オーバープリント、トラッピング、フォント種類の機能が利用可能であるが、アノテーションの機能を利用することが出来ない。ＲＩＰエンジン１２０ｄは、レイヤー、アノテーション、オーバープリント、トラッピング、フォント種類の機能が利用可能であるが、グラデーションの機能を利用することが出来ない。
【０１８６】
このようなＲＩＰエンジン１２０が搭載されたＤＦＥ１００において、本実施形態においては、初回印刷時にＲＩＰエンジン１２０ａを用いて印刷出力を行い、その後、同じ印刷データを用いて重版印刷を行う際に、同一の印刷画像を出力可能か否か判断する。以下、図１７を参照して、本実施形態に係るジョブ制御部１１６の内部構成を説明する。
【０１８７】
図１７に示すように、本実施形態に係るジョブ制御部１１６は、基準ラスターデータ選出部１２６、ＲＩＰエンジン判別部１２７、比較用ラスターデータ生成制御部１２８、画像比較部１２９、判別情報格納部１３１、基準ラスターデータ格納部１３２を含む。
【０１８８】
基準ラスターデータ選出部１２６は、初回印刷時及び追加印刷時におけるＲＩＰ結果の差異の有無を判定するための基準ラスターデータを選出し、基準描画情報選出部として機能する。ＲＩＰエンジン判別部１２７は、追加印刷時のＲＩＰエンジン１２０の情報と、初回印刷時のＲＩＰエンジン１２０の情報とを比較し、ＲＩＰエンジン１２０が異なるか否かを判別する。
【０１８９】
比較用ラスターデータ生成制御部１２８は、ＲＩＰエンジン１２０に、予め指定された印刷対象の画像データから比較用ラスターデータを生成するための命令情報を送信する。画像比較部１２９は、基準ラスターデータと比較用ラスターデータとを比較し、双方のラスターデータにおける差分の有無を抽出する。
【０１９０】
判別情報格納部１３１は、初回印刷時に使用したＲＩＰエンジン１２０の情報と初回印刷時のジョブデータを識別可能なジョブ識別情報とが関連付けられて格納されている記憶媒体である。基準ラスターデータ格納部１３２は、基準ラスターデータ選出部１２６によって選出された基準ラスターデータ及び印刷対象の画像ページが格納されている記憶媒体である。
【０１９１】
このような構成を持つジョブ制御部１１６において、初回印刷時にＲＩＰエンジン１２０ａを用いて印刷出力を行い、その後、同じ印刷データを用いて重版印刷を行う際に、同一の印刷画像を出力可能か否か判断する処理の流れを説明する。
【０１９２】
図１８は、初回印刷及び重版印刷において同一の印刷画像を出力可能か否か判断する処理の流れを示すフローチャートである。図１８に示す処理においては、まず、初回印刷時に印刷ジョブに基づいてＲＩＰエンジン１２０ａにおいて生成されたラスターデータから基準ラスターデータを選出し、ＤＦＥ１００内に格納する処理を行う。
【０１９３】
印刷対象の画像データに基づいて、ジョブ制御部１１６は、ＲＩＰ部１１８に必要な情報を入力して、ＲＩＰ処理を実行させ（Ｓ１３０７の処理）、ラスターデータを生成する（Ｓ１８０１）。ジョブ制御部１１６は、その際に、利用したＲＩＰエンジン１２０ａを判別可能な情報であるＲＩＰエンジン判別情報及び印刷ジョブを識別するジョブ識別情報を判別情報格納部１３１に格納する（Ｓ１８０２）。
【０１９４】
従って、初回印刷時を行う第一の画像形成装置において使用されるラスターデータを生成したＲＩＰエンジン１２０ａが、第一の描画情報を生成する第一描画情報生成部として機能し、ジョブ制御部１１６は、第一描画情報生成制御部として機能する。
【０１９５】
次に、基準ラスターデータ選出部１２６は、所定の判断基準に基づいて基準ラスターデータを選出し、選出した基準ラスターデータ及び該当する印刷対象の画像データを基準ラスターデータ格納部１３２に格納する（Ｓ１８０３）。従って、基準ラスターデータは、第一描画情報に基づいて生成された基準描画情報である。
【０１９６】
ジョブ制御部１１６は、基準ラスターデータが格納されると、印刷設定及び印刷対象の画像データを含むジョブデータをジョブデータ格納部１１４に格納する（Ｓ１８０４）。ここまでの処理が、初回印刷時にＤＦＥ１００において行われる処理である。
【０１９７】
追加印刷を行う場合には、ＤＦＥ１００に接続されるＰＣ５から、初回印刷時にジョブデータ格納部１１４に格納されたジョブデータを指定して、追加印刷の実行命令を送信する。ＰＣ５から追加印刷の実行命令を受信すると（Ｓ１８０５）、ジョブ制御部１１６は、ジョブデータ格納部１１４から、追加印刷の実行命令において指定されたジョブデータを抽出する（Ｓ１８０６）。
【０１９８】
そして、ジョブ制御部１１６は、抽出したジョブデータの初回印刷時に使用されたＲＩＰエンジン判別情報を判別情報格納部１３１から取得する（Ｓ１８０７）。Ｓ１８０７の処理においては、抽出したジョブデータを識別可能なジョブ識別情報が関連付けられたＲＩＰ判別情報を抽出し、抽出されたＲＩＰ判別情報から初回印刷時に使用されたＲＩＰエンジン１２０の情報を取得する。本実施形態においては、ＲＩＰエンジン１２０ａが初回印刷時に使用されたＲＩＰエンジン１２０であることを示すＲＩＰエンジン判別情報を取得することができる。
【０１９９】
そして、ＲＩＰエンジン判別部１２７は、Ｓ１８０７の処理において取得した初回印刷時に使用されたＲＩＰエンジン１２０の情報及び追加印刷時にアクティベーションされているＲＩＰエンジン１２０の情報に基づいて、初回印刷及び追加印刷において使用されるＲＩＰエンジン１２０が同じであるか否か判別する（Ｓ１８０８）。
【０２００】
ＲＩＰエンジン１２０が同じ場合（Ｓ１８０８／Ｙｅｓ）、ジョブ制御部１１６は、Ｓ１８０６で抽出したジョブデータをＲＩＰ部１１８に投入し（Ｓ１８１４）、ＲＩＰ処理を実行させる（Ｓ１８１５）。
【０２０１】
ＲＩＰエンジン１２０が異なる場合（Ｓ１８０８／Ｎｏ）、比較用ラスターデータ生成制御部１２８は、基準ラスターデータ格納部１３２から、印刷対象の画像データを抽出し（Ｓ１８０９）、アクティベーションされているＲＩＰエンジン１２０に、抽出された印刷対象の画像データから比較用ラスターデータを生成させる（Ｓ１８１０）。従って、比較用ラスターデータは、基準ラスターデータとなった印刷対象の画像データに基づいて生成された比較対象描画情報である。
【０２０２】
そして、画像比較部１２９は、基準ラスターデータ格納部１３２から、基準ラスターデータを取得し、Ｓ１８０９で生成された比較用ラスターデータと基準ラスターデータとを比較する（Ｓ１８１１）。ジョブ制御部１１６は、Ｓ１８１１の比較結果に基づいて、基準ラスターデータと比較用ラスターデータとに、差分があると判定した場合（Ｓ１８１２／Ｙｅｓ）、初回印刷と追加印刷において同一の印刷結果が得られない旨を警告する警告情報をシステム制御部１１３に送信する（Ｓ１８１３）。
【０２０３】
システム制御部１１３は、警告情報をＵＩ制御部１１５に送信し、ディスプレイ１０２に警告情報を表示させる。尚、基準ラスターデータと比較用ラスターデータとに、差分がないと判定した場合（Ｓ１８１２／Ｎｏ）、ジョブ制御部１１６は、Ｓ１８０６において抽出したジョブデータをＳ１８１０と同じＲＩＰエンジン１２０に投入し（Ｓ１８１６）、ＲＩＰ処理を実行させる（Ｓ１８１７）。従って、Ｓ１８１０と同じＲＩＰエンジン１２０は、追加印刷を行う第二の画像形成装置に送信される第二の描画情報を生成する第二描画情報生成部として機能し、ジョブ制御部１１６は、第二描画情報生成制御部としても機能する。
【０２０４】
この際、比較用ラスターデータとしてＲＩＰ処理がされた印刷対象の画像データを除外するようにＪＤＦ情報を書き換えて、ＲＩＰ処理させても良い。
【０２０５】
以上説明したように、本実施形態に係るＤＦＥ１００は、初回印刷時及び追加印刷時におけるラスターデータの一部を比較し、その差分の有無に応じて、ＲＩＰ処理を継続して行うか否かを決定する。そのため、初回印刷時及び追加印刷時に同一のＲＩＰエンジンを使用しない場合であっても、生成されるラスターデータが同一であれば、ＲＩＰエンジンを切り替えるために、ＨＷＦシステムを再起動する必要がなく、印刷出力を効率良く行うことができる。
【０２０６】
尚、画像比較部１２９における初回印刷時及び追加印刷時におけるラスターデータの比較態様としては、以下のような態様がある。図１９は初回印刷時及び追加印刷時におけるラスターデータの差異を排他的論理和によって検知する態様である。図１９に示すように、排他的論理和によって初回印刷時及び追加印刷時におけるラスターデータの比較を行うと、比較によって差分があった画素のみが検出され、差分のない画素については、検出されない。
【０２０７】
また、図２０は、初回印刷時及び追加印刷時のラスターデータの差異を、画素の個数に基づいて比較する態様である。追加印刷時の比較用ラスターデータの画素数と初回印刷時のラスターデータから選出された基準ラスターデータの画素数との差分に基づいて、初回印刷時及び追加印刷時におけるラスターデータに差異があるか否かを判定する。尚、初回印刷時及び追加印刷時におけるラスターデータに差異が無い場合には、追加印刷時の比較用ラスターデータの画素数と初回印刷時のラスターデータから選出された基準ラスターデータの画素数との差分は検出されない。
【０２０８】
また、画像比較部１２９は、追加印刷時の比較用ラスターデータと初回印刷時のラスターデータから選出された基準ラスターデータとにおける色深度の比較等、一般的に用いられている画像の差異の比較方法を用いて初回印刷時及び追加印刷時におけるラスターデータにおける差異を検知することが出来る。
【０２０９】
さらに、図１８に示した処理においては、ジョブデータに基づいて印刷対象の画像の情報にたいしてＲＩＰエンジン１２０が実行する機能を抽出し、所定の優先度によって基準ラスターデータを選出することも可能である。図２１は、本実施形態に係る初回印刷時のラスターデータに基づいて抽出されたＲＩＰエンジン１２０がＲＩＰ内部処理を行うオブジェクトの数を例示した図である。
【０２１０】
図２１に示すように、初回印刷時のラスターデータの１ページ目においては、フォント：２００件、アノテーション：３件、レイヤー：４件、・・・、合計２０７件のＲＩＰ内部処理が行われる。続いて、初回印刷時のラスターデータの２ページ目においては、レイヤー：３件、合計３件のＲＩＰ内部処理が行われる。また、初回印刷時のラスターデータの３ページ目においては、フォント１５０件、レイヤー：３件、合計１５３件のＲＩＰ内部処理が行われる。
【０２１１】
図２１に示したＲＩＰ内部処理の数は、図２２に示すフローチャートに基づいて算出され、算出されたＲＩＰ内部処理の数に基づいて基準ラスターデータが選出される。図２２は、本実施形態に係る基準ラスターデータを選出する処理の流れを示すフローチャートである。
【０２１２】
基準ラスターデータ選出部１２６は、初回印刷時のジョブデータに基づいて、ＲＩＰ内部処理が行われるオブジェクトの数を、印刷対象の画像データのページごとにカウントする（Ｓ２２０１）。図２１は、Ｓ２２０１の処理によってカウントされたＲＩＰ内部処理が行われるオブジェクトの数を示したものである。
【０２１３】
そして、基準ラスターデータ選出部１２６は、各印刷対象の画像データにおいて、最もＲＩＰ内部処理が行われるオブジェクトの数が多いページを選出し（Ｓ２２０２／Ｙｅｓ）、基準ラスターデータとして基準ラスターデータ格納部１３２に格納する（Ｓ２２０３）。このように選出された基準ラスターデータと同じページの印刷対象の画像データをＳ１８０９においてＲＩＰ処理することで、初回印刷及び追加印刷におけるラスターデータの差異を判定するために必要なデータ量を少なくすることが出来る。
【０２１４】
また、図２２のフローチャートにおいては、ＲＩＰ内部処理の数を印刷対象の画像データのページごとにカウントしたが、このような処理を行う場合、ＲＩＰ内部処理が行われるオブジェクトの数が同一となるページが発生することがある。本実施形態においては、ＲＩＰ内部処理の種類に応じて個別機能を比較するための個別機能比較用ラスターデータを選出することで、ＲＩＰ内部処理が行われるオブジェクトの数が同じであっても、初回印刷及び追加印刷におけるラスターデータの差異の有無を検知することが出来る。
【０２１５】
図２３に示すのは、本実施形態に係る印刷対象の画像データに対して夫々実行されるＲＩＰ内部処理の項目を例示したものである。図２３に示すように、ＲＩＰ内部処理の項目のみに注目すると、「画像７」と「画像８」とが、基準ラスターデータとして選出される。本処理においては、この時、ＲＩＰエンジン１２０ａ及びＲＩＰエンジン１２０ｂにおいて、ＲＩＰ処理を夫々行った結果、同じ処理結果になるＲＩＰ内部処理の項目について除外して画像の差異を比較する。
【０２１６】
図２４に示すのは、一種類のＲＩＰ内部処理が実行される画像データを個別機能比較用ラスターデータとして選出する処理の流れを示すフローチャートである。図２４においては、印刷対象の画像情報に対して、一種類のＲＩＰ内部処理が行われる画像情報のラスターデータを個別機能比較用ラスターデータとして選出する。すなわち、図２３に示すように、「画像２」、「画像３」、「画像４」、「画像５」、「画像６」が個別機能比較用ラスターデータとして選出される。
【０２１７】
この時、「画像５」に該当する印刷対象の画像データに基づいて、個別機能比較用ラスターデータと追加印刷時のラスターデータとに差異があるか否か判定を行う。図２４は、ＲＩＰエンジン１２０において同一の処理を行うか否か判定する処理の流れを示すフローチャートである。
【０２１８】
図２４に示す処理においては、図１８に示す処理のＳ１８０３までが行われていることを前提として一連の処理が実行される。まず、基準ラスターデータ選出部１２６は、Ｓ１８０１で生成されたラスターデータの中から、単一のＲＩＰ内部処理が実行されるページを判定する（Ｓ２４０１）。
【０２１９】
この時、例えば、図２３においては、「画像２」、「画像３」、「画像４」、「画像５」、「画像６」のラスターデータが単一のＲＩＰ内部処理が実行されるページであると判定される。比較用ラスターデータ生成制御部１２８は、判定結果に基づいて単一のＲＩＰ内部処理が実行されるページの画像データについて、ＲＩＰエンジン１２０ｂにＲＩＰ処理を実行させ（Ｓ２４０２）、個別機能比較用ラスターデータを生成させる。
【０２２０】
従って、「画像２」、「画像３」、「画像４」、「画像５」、「画像６」の印刷対象の画像データからＲＩＰエンジン１２０ｂは、個別機能比較用ラスターデータを生成する。画像比較部１２９は、Ｓ１８０１で生成された「画像２」、「画像３」、「画像４」、「画像５」、「画像６」のラスターデータと、「画像２」、「画像３」、「画像４」、「画像５」、「画像６」から生成された夫々の個別機能比較用ラスターデータとの画像の比較を行う（Ｓ２４０３）。
【０２２１】
ここでは、「画像５」にのみ注目して以後の処理を説明する。「画像５」から生成されたラスターデータ及び個別機能比較用ラスターデータにおいて、夫々の画像が一致する場合（Ｓ２４０４／Ｙｅｓ）、ジョブ制御部１１６は、「画像５」に対して実行されているＲＩＰ内部処理である“トラッピング”については、ＲＩＰエンジン１２０ａ及びＲＩＰエンジン１２０ｂにおいて処理態様に差分のない機能であることを示す一致機能情報を判別情報格納部１３１に格納する（Ｓ２４０５）。
【０２２２】
基準ラスターデータ選出部１２６は、以上説明した処理によって一致機能情報が判別情報格納部１３１に格納されたＲＩＰ内部処理が行われるオブジェクトを除外して、基準となるラスターデータを選出する。従って、図２３に示す例においては、“トラッピング”機能が除外されるため、「画像８」が基準ラスターデータとして選出される。
【０２２３】
また、「画像２」、「画像３」、「画像４」、「画像６」のラスターデータについても、ＲＩＰエンジン１２０ａ、１２０ｂ以外のＲＩＰエンジン１２０について図２４のフローチャートと同様に一致する機能の有無を判定することが出来る。
【０２２４】
また、ＲＩＰエンジン１２０ａ及びＲＩＰエンジン１２０ｂにおいて処理態様に差分のない機能についてＲＩＰ内部処理が行われるオブジェクトの数を算出する際に除外して、他の印刷ジョブにおける基準ラスターデータを選出することも出来る。図２５は、他の印刷ジョブにおいて一致機能情報に基づいて基準ラスターデータを選出する処理の流れを示すフローチャートである。
【０２２５】
図２５に示すフローチャートにおいては、ＲＩＰエンジン１２０ａ及びＲＩＰエンジン１２０ｂの“トラッピング”機能について処理態様に差分がないことを示す一致機能情報が判別情報格納部１３１に格納されていることを前提として、一連の処理について説明を行う。
【０２２６】
まず、基準ラスターデータ選出部１２６は、ＲＩＰエンジン１２０ａにおいてＲＩＰ処理されて生成したラスターデータにおいて、ＲＩＰエンジン１２０ａ及びＲＩＰエンジン１２０ｂに関する一致機能情報が判別情報格納部１３１に格納されている機能（ここでは、“トラッピング”機能）について除外し、ＲＩＰ内部処理が実行されるオブジェクトの数を算出する（Ｓ２５０１）。
【０２２７】
そして、基準ラスターデータ選出部１２６は、Ｓ２５０１の処理において、ＲＩＰ内部処理が実行されるオブジェクトの数が最も多いページのラスターデータを（Ｓ２５０２／Ｙｅｓ）、基準ラスターデータとして、基準ラスターデータ格納部１３２に格納する（Ｓ２５０３）。
【０２２８】
ＲＩＰ内部処理が実行されるオブジェクトの数が最多ではないページのラスターデータ（Ｓ２５０２／Ｎｏ）において、そのページのラスターデータにおいて行われるＲＩＰ内部処理が一種類の場合（Ｓ２５０４／Ｙｅｓ）、そのページのラスターデータは、ジョブ制御部１１６によって個別機能比較用ラスターデータとして基準ラスターデータ格納部１３２に格納され（Ｓ２５０５）、本処理は終了される。
【０２２９】
図２５及び図２４の処理を異なる印刷ジョブ毎に繰り返すことによって、ＲＩＰエンジン１２０ａ及びＲＩＰエンジン１２０ｂにおいて処理態様に差分のないＲＩＰ内部処理を判定することが出来る。
【０２３０】
その他の実施形態．
本実施形態においては、ＨＷＦサーバ４及びＤＦＥ１００において生成される夫々のラスターデータにおける画像の差分を検知する。図２６は、本実施形態に係るＤＦＥ１００のジョブ制御部１１６の内部構成について示した図である。図２６に示すように、ジョブ制御部１１６は、基準ラスターデータ選出部１２６、ＲＩＰエンジン判別部１２７、比較用ラスターデータ生成制御部１２８、画像比較部１２９、ＲＩＰ要求部１３０を含む。
【０２３１】
尚、基準ラスターデータ選出部１２６、ＲＩＰエンジン判別部１２７、比較用ラスターデータ生成制御部１２８、画像比較部１２９は、実施の形態１と同じ機能であるため、説明を省略する。ＲＩＰ要求部１３０は、ＨＷＦサーバ４に比較用ラスターデータを生成するＲＩＰ処理を要求する命令情報を送信する。
【０２３２】
また、図２７は、本実施形態に係るＨＷＦサーバ４のジョブ制御部４１３の内部構成について示した図である。図２７に示すように、ジョブ制御部４１３は、比較用ラスターデータ生成制御部４２２を含む。尚、ＨＷＦサーバ４の比較用ラスターデータ生成制御部４２２も、ＤＦＥ１００の比較用ラスターデータ生成制御部１２８と同様に、ＲＩＰエンジン４２０に、予め指定された印刷対象の画像データから比較用ラスターデータを生成するための命令情報を送信する。
【０２３３】
このような構成によって、本実施形態に係るＨＷＦシステムは、ＨＷＦサーバ４からＤＦＥ１００に送信された出力対象の画像情報に基づいて生成されるラスターデータの比較を行う。尚、図２８に示す処理においては、ＲＩＰエンジン４２０がＲＩＰエンジン１２０に対応していないことを前提として説明を行う。ＲＩＰエンジン４２０がＲＩＰエンジン１２０に対応している場合、ＲＩＰエンジン４２０及びＲＩＰエンジン１２０は同じ処理態様であるため、図２８に示す処理を行う必要がないためである。
【０２３４】
図２８は、本実施形態におけるＨＷＦサーバ４に比較用ラスターデータを生成させる処理の流れを示すシーケンス図である。図２８に示す処理は、図１１にて説明したＳ１１１４の処理を行った後の流れにおいて特徴を有するため、Ｓ１１１３までの図示及び説明を省略する。
【０２３５】
図２８に示す処理において、まず、ジョブ制御部４１３は、ワークフロー制御部４１８の制御に従い、ジョブ送受信部４２１を制御してＤＦＥ１００にジョブデータを送信させる（Ｓ１１１４）。ＤＦＥ１００においては、受信したジョブデータに基づいて、図２１から図２５において説明したものと同様に、基準ラスターデータを選出する処理が実行される（Ｓ２８０１）。
【０２３６】
そして、ＲＩＰ要求部１３０は、ジョブデータに含まれる出力対象の画像情報において、基準ラスターデータとして選出されたページのＲＩＰ処理をＨＷＦサーバ４に要求する命令情報をシステム制御部１１３に送信し、システム制御部１１３は、命令情報をＨＷＦサーバ４に送信する（Ｓ２８０２）。尚、Ｓ２８０２の処理においては、基準ラスターデータとして選出されたページを特定する情報もしくは基準ラスターデータとして選出されたページの画像データをＲＩＰ処理の要求とともに送信してもよい。
【０２３７】
また、ＤＦＥ１００において、ジョブ制御部１１６は、基準ラスターデータとして選出されたページのＲＩＰ処理をＲＩＰ制御部１１９に依頼し（Ｓ２８０３）、ＲＩＰエンジン１２０に比較用ラスターデータを生成させる（Ｓ２８０４）。従って、ＲＩＰエンジン１２０は、追加印刷を行う第二の画像形成装置に送信される第二の描画情報を生成する第二描画情報生成部として機能し、ジョブ制御部１１６は、第二描画情報生成制御部としても機能する。
【０２３８】
ジョブ制御部４１３は、命令情報に従って、ＲＩＰエンジン４２０に基準ラスターデータとして選出されたページの画像情報をＲＩＰ処理させ（Ｓ２８０５）、比較用ラスターデータを生成させる。そして、システム制御部４１０は、生成された比較用ラスターデータをＤＦＥ１００に送信する（Ｓ２８０６）。
【０２３９】
従って、第一の画像形成装置において使用されるラスターデータを生成したＲＩＰエンジン４２０が、第一の描画情報を生成する第一描画情報生成部として機能し、ジョブ制御部４１３は、第一描画情報生成制御部として機能する。尚、比較用ラスターデータは、ＤＦＥ１００に送信された後、削除される構成であってもよい。
【０２４０】
ジョブ制御部１１６は、ＨＷＦサーバ４で生成された比較用ラスターデータを受信すると（Ｓ２８０７）、受信した比較用ラスターデータ及びＳ２８０４でＲＩＰエンジン１２０によって生成された比較用ラスターデータを画像比較部１２９に入力する。そして、画像比較部１２９は、ＨＷＦサーバ４から受信した比較用ラスターデータとＲＩＰエンジン１２０によって生成された比較用ラスターデータとを比較する（Ｓ２８０８）。
【０２４１】
尚、Ｓ２８０８の処理においては、ＲＩＰエンジン１２０によって生成された比較用ラスターデータが比較対象描画情報、ＨＷＦサーバ４から受信した比較用ラスターデータが基準描画情報として夫々機能する。
【０２４２】
尚、Ｓ２８０８以降の処理は、Ｓ１８１２以降と同様の処理を実行するため、説明を省略する。また、本実施形態では、Ｓ１８１３における警告情報の送信先として、ＤＦＥ１００のＵＩ制御部１１５、ＨＷＦサーバ４、クライアント端末５を設定することが出来る。
【０２４３】
以上説明したように、本実施形態においては、ジョブデータに含まれる出力対象の画像データの一部をＨＷＦサーバ４及びＤＦＥ１００においてＲＩＰ処理し、生成された夫々のラスターデータの比較を行う。そのため、初回印刷時においても、ＨＷＦサーバ４及びＤＦＥ１００で生成される画像における差分を検知することが出来る。
【０２４４】
また、本実施形態において、基準ラスターデータとして選出されたページのＲＩＰ処理を要求する命令情報を受信したＨＷＦサーバ４において、既に該当するページのＲＩＰ処理が行われていることがある。例えば、ＨＷＦサーバ４でＲＩＰ処理が行われたジョブをＤＦＥ１００において処理する場合である。このような場合、ＲＩＰエンジン４２０におけるＲＩＰ処理を行わずに、システム制御部４１０に、該当するページのラスターデータを、ＤＦＥ１００に送信させる構成であってもよい。
【符号の説明】
【０２４５】
１  デジタルプリンタ
２  オフセットプリンタ
３  後処理装置
４、４ａ、４ｂ  ＨＷＦサーバ
５、５ａ、５ｂ  クライアント端末
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  ＤＦＥ
１０１  ネットワークＩ／Ｆ
１０２  ディスプレイ
１１１  ジョブ受信部
１１２  個別ジョブ受信部
１１３  システム制御部
１１４  ジョブデータ格納部
１１５  ＵＩ制御部
１１６  ジョブ制御部
１１７  ＪＤＦ解析部
１１８  ＲＩＰ部
１１９  ＲＩＰ制御部
１２０  ＲＩＰエンジン
１２１  画像格納部
１２２  プリンタ制御部
１２３  デバイス情報管理部
１２４  デバイス情報通信部
１２６  基準ラスターデータ選出部
１２７  ＲＩＰエンジン判別部
１２８  比較用ラスターデータ生成制御部
１２９  画像比較部
１３０  ＲＩＰ要求部
１３１  判別情報格納部
１３２  基準ラスターデータ格納部
１５０  デジタルエンジン
２００  ＣＴＰ
２０１  制御部
２０２  入力部
２０３  ＲＩＰパラメータ解析部
２０４  プリフライト処理部
２０５  ノーマライズ処理部
２０６  マーク処理部
２０７  フォント処理部
２０９  ＣＭＭ処理部
２１０  Ｔｒａｐｐｉｎｇ処理部
２１１  Ｃａｌｉｂｒａｔｉｏｎ処理部
２１２  Ｓｃｒｅｅｎｉｎｇ処理部
２１３  出力部
２１４  ジョブ属性解析部
２１５  ＲＩＰステータス解析部
２１６  ＲＩＰステータス管理部
２１７  レイアウト処理部
２１８  レンダリング処理部
４００  ＨＷＦコントローラ
４０１  ネットワークＩ／Ｆ
４１０  システム制御部
４１１  データ受信部
４１２  ＵＩ制御部
４１３  ジョブ制御部
４１４  ジョブデータ格納部
４１５  デバイス情報通信部
４１６  デバイス情報管理部
４１７  デバイス情報格納部
４１８  ワークフロー制御部
４１９  ワークフロー情報格納部
４２０  ＲＩＰエンジン
４２１  ジョブ送受信部
４２２  比較用ラスターデータ生成制御部
【先行技術文献】
【特許文献】
【０２４６】
【特許文献１】特開２００５−２７５４７５号公報
【図１】
2017129928.tif 000003
【図２】
2017129928.tif 000004
【図３】
2017129928.tif 000005
【図４】
2017129928.tif 000006
【図５】
2017129928.tif 000007
【図６】
2017129928.tif 000008
【図７】
2017129928.tif 000009
【図８】
2017129928.tif 000010
【図９】
2017129928.tif 000011
【図１０】
2017129928.tif 000012
【図１１】
2017129928.tif 000013
【図１２】
2017129928.tif 000014
【図１３】
2017129928.tif 000015
【図１４】
2017129928.tif 000016
【図１５】
2017129928.tif 000017
【図１６】
2017129928.tif 000018
【図１７】
2017129928.tif 000019
【図１８】
2017129928.tif 000020
【図１９】
2017129928.tif 000021
【図２０】
2017129928.tif 000022
【図２１】
2017129928.tif 000023
【図２２】
2017129928.tif 000024
【図２３】
2017129928.tif 000025
【図２４】
2017129928.tif 000026
【図２５】
2017129928.tif 000027
【図２６】
2017129928.tif 000028
【図２７】
2017129928.tif 000029
【図２８】
2017129928.tif 000030